(57)【要約】【課題】  ワイヤを適切にボンディングすることが可能なワイヤボンディング方法および半導体装置を提供すること。【解決手段】  第４、第５、および第６の半導体チップのうち１対の押さえ痕が離間する方向において前記１対の押さえ痕の間に位置する部位に前記第４、第５および第６の半導体チップに接続されたすべての前記アルミワイヤの一端がボンディングされている。【選択図】  図３４
2020145476.tif 000002
【特許請求の範囲】
【請求項１】
第１半導体チップと、前記第１半導体チップを搭載する第１アイランドと、
第２半導体チップと、前記第２半導体チップを搭載する第２アイランドと、
第３半導体チップと、前記第３半導体チップを搭載する第３アイランドと、
第４、第５、および第６の半導体チップと、前記第４、第５、および第６の半導体チップを搭載する第４アイランドと、
前記第１半導体チップとアルミワイヤにより接続された第１リード端子と、
前記第２半導体チップとアルミワイヤにより接続された第２リード端子と、
前記第３半導体チップとアルミワイヤにより接続された第３リード端子と、
前記第４半導体チップとアルミワイヤにより接続された第４リード端子と、
前記第５半導体チップとアルミワイヤにより接続された第５リード端子と、
前記第６半導体チップとアルミワイヤにより接続された第６リード端子と、
前記第４アイランドから延出する第７リード端子と、を備え、
前記第１ないし前記第６の半導体チップは、第１の方向に配列されており、
前記第１のリード端子は、前記第１の方向に直角である第２の方向において前記第２のリード端子よりも長く内方に延出し、
前記第２のリード端子は、前記第２の方向において前記第３のリード端子よりも長く内方に延出し、
前記第４アイランドには、互いに離間する１対の押さえ痕が形成されており、
前記第４、第５、および第６の半導体チップのうち前記１対の押さえ痕が離間する方向において前記１対の押さえ痕の間に位置する部位に前記第４、第５および第６の半導体チップに接続されたすべての前記アルミワイヤの一端がボンディングされていることを特徴とする、半導体装置。
【請求項２】
前記第１ないし前記第３アイランドには前記第１ないし前記第３半導体チップのみが夫々搭載されている、請求項１記載の半導体装置。
【請求項３】
前記第１、第２、および第３半導体チップに接続される第１駆動半導体チップと、前記第１駆動半導体チップを搭載する第５アイランドと、
前記第４、第５、および第６の半導体チップに接続される第２駆動半導体チップと、前記第２駆動半導体チップを搭載する第６アイランドと、
前記第１駆動半導体チップの周辺に配置された第１リード端子群と、
前記第２駆動半導体チップの周辺に配置された第２リード端子群と、を備える、請求項１または２に記載の半導体装置。
【請求項４】
前記第３リード端子は、第４、第５、および第６リード端子よりも内方に延出している、請求項３記載の半導体装置。
【請求項５】
前記第１、第２、第３、および第４アイランドは放熱板に搭載されている、請求項４記載の半導体装置。
【請求項６】
前記第１半導体チップと、前記第１リード端子とを接続するアルミワイヤは、前記放熱板の各辺に対して斜め方向に延出している、請求項５記載の半導体装置。
【請求項７】
前記第１リード端子群は、前記第５アイランドの少なくとも２辺に対向して配置される、請求項６記載の半導体装置。
【請求項８】
前記第２リード端子群は、前記第６アイランドの少なくとも２辺に対向して配置される、請求項７記載の半導体装置。
【請求項９】
前記第１、第２、第３、第４、第５、および第６の半導体チップは樹脂によりパッケージされている、請求項８記載の半導体装置。
【請求項１０】
前記第１リード端子と、前記第１アイランドとは高さが異なる、請求項９記載の半導体装置。
【請求項１１】
前記第１、第２、第３、および第４のアイランドと、前記第１リード端子群の高さが異なる、請求項１０記載の半導体装置。
【請求項１２】
前記第４、第５、および第６の半導体チップは、ダイボンディング材、前記第４アイランドを経由して共通のグランド端子である前記第７リード端子へと電気的に接続される、請求項１１記載の半導体装置。
【請求項１３】
前記一対の押さえ痕が離間する方向において、前記第１ないし第６半導体チップのうち前記１対の押さえ痕の間に位置する部位に前記アルミワイヤの一端がボンディングされている、請求項１ないし１２のいずれかに記載の半導体装置。
【請求項１４】
前記アルミワイヤの一端は、前記第１ないし第６半導体チップのうち前記１対の押さえ痕を結ぶ直線と交差する部位にボンディングされている、請求項１３に記載の半導体装置。
【請求項１５】
前記第１ないし第６リード端子のいずれかには、互いに離間する追加の１対の押さえ痕が形成されており、
前記追加の１対の押さえ痕が離間する方向において前記追加の１対の押さえ痕の間に位置する部位に前記アルミワイヤの他端がボンディングされている、請求項１３または１４に記載の半導体装置。
【請求項１６】
前記アルミワイヤの他端は、前記追加の１対の押さえ痕を結ぶ直線と交差する部位にボンディングされている、請求項１５に記載の半導体装置。
【請求項１７】
前記第１ないし第６リード端子のうち前記一対の押さえ痕を有するものは、前記一対の押さえ痕のないものよりも幅広の部分を有する、請求項１６に記載の半導体装置。
【請求項１８】
前記第２リード端子群には少なくとも１つの受動部品が搭載されている、請求項１２記載の半導体装置。
【請求項１９】
前記第２駆動半導体チップと前記受動部品とは銅ワイヤまたは金ワイヤにより接続される、請求項１８記載の半導体装置。
【請求項２０】
第１半導体チップと、前記第１半導体チップを搭載する第１アイランドと、
第２半導体チップと、前記第２半導体チップを搭載する第２アイランドと、
第３半導体チップと、前記第３半導体チップを搭載する第３アイランドと、
前記第４、第５、および第６の半導体チップと、前記第４、第５、および第６の半導体チップを搭載する第４アイランドと、
前記第１半導体チップとアルミワイヤにより接続された第１リード端子と、
前記第２半導体チップとアルミワイヤにより接続された第２リード端子と、
前記第３半導体チップとアルミワイヤにより接続された第３リード端子と、
前記第４半導体チップとアルミワイヤにより接続された第４リード端子と、
前記第５半導体チップとアルミワイヤにより接続された第５リード端子と、
前記第６半導体チップとアルミワイヤにより接続された第６リード端子と、
前記第４アイランドから延出する第７リード端子と、
前記第１ないし前記第６の半導体チップは、第１の方向に配列されており、
前記第１のリード端子は、前記第１の方向に直角である第２の方向において前記第２のリード端子よりも長く内方に延出し、
前記第２のリード端子は、前記第２の方向において前記第３のリード端子よりも長く内方に延出し、
前記各リード端子には、互いに離間する１対の押さえ痕が形成されており、
前記１対の押さえ痕が離間する方向において前記１対の押さえ痕の間に位置する部位に前記アルミワイヤの一端がボンディングされていることを特徴とする、半導体装置。
【発明の詳細な説明】
【技術分野】
【０００１】
本発明は、半導体装置に関する。
【背景技術】
【０００２】
従来から、種々の半導体装置の一つとしてＩＰＭ（Ｉｎｔｅｌｌｉｇｅｎｔ  Ｐｏｗｅｒ  Ｍｏｄｕｌｅ）と称される電源制御用の半導体装置がある。このような半導体装置は、大きな電力を制御することが多く発熱し易いので、複数の半導体チップと、複数のダイパッド部と、放熱板となる金属層と、接合層と、封止樹脂と、を備える。複数の半導体チップは複数のダイパッド部にそれぞれ配置されている。各ダイパッド部は、接合層を介して金属層に接合されている。封止樹脂は、複数の半導体チップと複数のダイパッド部と放熱板と接合層とを覆っている。ＩＰＭと称される半導体装置は、たとえば、特許文献１に記載されている。
【０００３】
このような半導体装置は基板（回路基板）に実装される。半導体装置が基板に実装されている状態においては、放熱板は、半導体装置外部の比較的大きい放熱部材に正対させられる。接合層が封止樹脂の外部にまで漏れてしまうと、金属層と放熱部材との間に隙間が生じるおそれがある。このことは、半導体チップからの熱を放熱部材に効率よく伝達することの妨げとなっている。
【０００４】
放熱層と封止樹脂とは、互いの材質が異なる。このため、放熱層の外縁と封止樹脂との境界が剥離するおそれがある。この剥離が封止樹脂の内方に伝播すると半導体チップの放熱が妨げられたり、半導体チップが腐食するといった不具合が生じうる。
【０００５】
アルミニウムからなるワイヤをボンディングする場合、ワイヤに対して圧力と振動とを加える。この圧力および振動は、ダイパッド部やワイヤボンディング部にも負荷される。ダイパッド部やワイヤボンディング部が揺れたり、変形したりすると、ワイヤを適切にボンディングすることができない。
【０００６】
このような半導体装置は基板（回路基板）に実装される。半導体装置が基板に実装されている状態においては、放熱板は、半導体装置外部の比較的大きい放熱部材に正対させられる。また、ダイパッド部の上に複数の半導体チップをはんだペーストを介して搭載するとともに、大電流を流せるようにより太くて堅いアルミニウム等のワイヤを用いて各半導体チップとリードとを電気的に接続するようにしている。
【０００７】
上述のような半導体装置では、複数の半導体チップの取り付け時に、隣接する半導体チップ間のはんだペーストが繋がってしまうことがある。また、はんだペーストの一部のみがダイパッド部の端部に達っしてしまうはんだ食われが生じるおそれがある。あるいは、はんだペーストの表面張力等によって各半導体チップの位置が所望の位置からずれてしまうことがある。各半導体チップの搭載位置がずれると堅いワイヤによるボンディングが難しくなる場合があった。また、この問題を避けるために、半導体チップ間の距離を大きくとることにより、半導体装置の外形が大きくなってしまうという問題があった。
【先行技術文献】
【特許文献】
【０００８】
【特許文献１】特開２００９−１０５３８９号公報
【発明の概要】
【発明が解決しようとする課題】
【０００９】
本発明は、上記した事情のもとで考え出されたものであって、本発明は、上記した事情のもとで考え出されたものであって、ワイヤを適切にボンディングすることが可能なワイヤボンディング方法および半導体装置を提供することをその主たる課題とする。
【課題を解決するための手段】
【００１０】
本発明の第１の側面によって提供される半導体装置は、互いに反対方向を向く主面および裏面を有するダイパッド部と、上記ダイパッド部の上記主面に搭載された半導体チップと、上記ダイパッド部の上記裏面を露出させる凹部が形成され、且つ、上記ダイパッド部および上記半導体チップを覆う封止樹脂部と、上記凹部に配置された放熱層と、を備え、上記凹部は、上記裏面が広がる方向において上記ダイパッド部よりも外側に位置し、且つ、上記裏面よりも上記主面側に位置する部分を有する溝を有しており、上記放熱層は、一部が上記溝に充填され、且つ、上記ダイパッド部の上記裏面に接する接合層を有することを特徴としている。
【００１１】
本発明の好ましい実施の形態においては、上記放熱層は、上記接合層に対して上記ダイパッド部とは反対側に積層された金属層を有する。
【００１２】
本発明の好ましい実施の形態においては、上記金属層は、Ｃｕからなる。
【００１３】
本発明の好ましい実施の形態においては、上記接合層は、樹脂からなる。
【００１４】
本発明の好ましい実施の形態においては、上記金属層の一部は、その厚さ方向において上記凹部から突出している。
【００１５】
本発明の好ましい実施の形態においては、上記溝は、上記裏面が広がる方向において上記金属層に対して外側に位置する。
【００１６】
本発明の好ましい実施の形態においては、上記凹部は、上記金属層と上記溝との間に位置する部分を有する底面を有する。
【００１７】
本発明の好ましい実施の形態においては、上記溝は、上記裏面が広がる方向において上記ダイパッド部から離間するほど、上記ダイパッド部の厚さ方向において上記裏面側から上記主面側に位置するように傾斜している。
【００１８】
本発明の好ましい実施の形態においては、上記凹部は、上記裏面が広がる方向において上記ダイパッド部よりも外側に位置し、上記底面に繋がる第１側面、上記第１側面に繋がり、上記裏面が向く方向を向く支持面、上記支持面に繋がり、上記裏面が広がる方向において上記ダイパッド部と上記第１側面との間に位置する第２側面、を有しており、上記金属層は、上記裏面が広がる方向において少なくとも一部が上記第１側面と上記第２側面との間に位置する外縁を有し、上記ダイパッド部の厚さ方向において上記第１側面と重なっている。
【００１９】
本発明の好ましい実施の形態においては、上記支持面と上記金属層との間に、上記接合層の一部が介在する。
【００２０】
本発明の第２の側面によって提供される半導体装置は、互いに反対方向を向く主面および裏面を有する複数のダイパッド部と、上記複数のダイパッド部の上記主面に格別に搭載された複数の半導体チップと、上記各ダイパッド部の内の少なくとも一部の上記各裏面を共通に露出させる凹部が形成され、且つ、上記各ダイパッド部および上記各半導体チップを共通に覆う封止樹脂部と、上記凹部に配置された放熱層と、を備え、上記凹部は、上記裏面側において上記各ダイパッド部よりも外側に位置し、且つ、上記裏面よりも上記主面側に位置するように形成された溝を有しており、上記放熱層は、一部が上記溝に充填され、且つ、上記各ダイパッド部の上記裏面に共通に接する接合層を有することを特徴としている。
【００２１】
本発明の第３の側面によって提供される半導体装置は、互いに反対方向を向く主面および裏面を有するダイパッド部と、上記ダイパッド部の上記主面に搭載された半導体チップと、樹脂底面から凹んでいるとともに上記ダイパッド部の上記裏面を露出させる凹部が形成され、且つ、上記ダイパッド部および上記半導体チップを覆う封止樹脂部と、上記凹部に配置された放熱層と、を備え、上記凹部は、上記裏面が広がる方向において上記ダイパッド部よりも外側に位置し、上記樹脂底面に繋がる第１側面、上記第１側面に繋がり、上記裏面が向く方向を向く支持面、上記支持面に繋がり、上記裏面が広がる方向において上記ダイパッド部と上記第１側面との間に位置する第２側面、を有しており、上記放熱層は、上記裏面が広がる方向において少なくとも一部が上記第１側面と上記第２側面との間に位置する外縁を有し、上記ダイパッド部の厚さ方向において上記第１側面と重なる放熱層、および上記放熱層と上記ダイパッド部との間に介在する接合層、を有することを特徴としている。
【００２２】
本発明の好ましい実施の形態においては、上記放熱層は、金属からなる。
【００２３】
本発明の好ましい実施の形態においては、上記金属は、Ｃｕである。
【００２４】
本発明の好ましい実施の形態においては、上記接合層は、樹脂からなる。
【００２５】
本発明の好ましい実施の形態においては、上記支持面と上記放熱層との間に、上記接合層の一部が介在する。
【００２６】
本発明の好ましい実施の形態においては、上記凹部は、上記裏面が広がる方向において上記ダイパッド部よりも外側に位置し、且つ、上記裏面よりも上記主面側に位置する部分を有する溝を有しており、上記接合層は、一部が上記溝に充填されている。
【００２７】
本発明の好ましい実施の形態においては、上記放熱層の一部は、その厚さ方向において上記凹部から突出している。
【００２８】
本発明の好ましい実施の形態においては、上記溝は、上記裏面が広がる方向において上記放熱層に対して外側に位置する。
【００２９】
本発明の好ましい実施の形態においては、上記凹部は、上記放熱層と上記溝との間に位置する部分を有する凹部底面を有する。
【００３０】
本発明の好ましい実施の形態においては、上記凹部は、上記裏面が広がる方向において上記ダイパッド部から離間するほど、上記ダイパッド部の厚さ方向において上記裏面側から上記主面側に位置するように傾斜している。
【００３１】
本発明の第４の側面によって提供される半導体装置は、互いに反対方向を向く主面および裏面を有する複数のダイパッド部と、上記複数のダイパッド部の上記主面に各別に搭載された複数の半導体チップと、樹脂底面から凹んでいるとともに上記ダイパッド部の内の少なくとも一部の上記各裏面を共通に露出させる凹部が形成され、且つ、上記各ダイパッド部および上記各半導体チップを共通に覆う封止樹脂部と、上記凹部に配置された放熱層と、を備え、上記凹部は、上記裏面側において上記各ダイパッド部よりも外側に位置し、上記樹脂底面に繋がる第１側面、上記第１側面に繋がり、上記裏面が向く方向を向く支持面、上記支持面に繋がり、上記裏面が広がる方向において上記ダイパッド部と上記第１側面との間に位置する第２側面、を有しており、上記放熱層は、上記裏面が広がる方向において少なくとも一部が上記第１側面と上記第２側面との間に位置する外縁を有し、上記ダイパッド部の厚さ方向において上記第１側面と重なる放熱層、および上記放熱層と上記各ダイパッド部との間に介在する接合層、を有することを特徴としている。
【００３２】
本発明の第５の側面によって提供される半導体装置は、互いに反対方向を向くダイパッド主面およびダイパッド裏面を有するダイパッド部と、上記ダイパッド主面に搭載された半導体チップと、底面から凹んでいるとともに上記ダイパッド裏面を露出させる凹部が形成され、且つ、上記ダイパッド部および上記半導体チップを覆う封止樹脂部と、上記凹部に配置され、上記ダイパッド裏面に対面する放熱層主面およびこの放熱層主面とは反対側にある放熱層裏面を有し、且つ、上記ダイパッド部に接合された放熱層と、を備え、上記放熱層は、上記ダイパッド裏面が広がる方向において上記ダイパッド部よりも外側に位置し、上記放熱層裏面に繋がる第１側面、上記第１側面に繋がり、上記放熱層主面が向く方向を向く中間面、上記中間面に繋がり、上記ダイパッド裏面が広がる方向において上記ダイパッド部と上記第１側面との間に位置する第２側面、を有することを特徴としている。
【００３３】
本発明の好ましい実施の形態においては、上記放熱層は、セラミックスからなる。
【００３４】
本発明の好ましい実施の形態においては、上記第１側面、上記中間面、および上記第２側面は、上記封止樹脂部に接している。
【００３５】
本発明の好ましい実施の形態においては、上記放熱層の上記放熱層裏面は、上記封止樹脂部の上記底面と面一とされている。
【００３６】
本発明の好ましい実施の形態においては、上記第１側面と上記中間面とは、第１角部を形成している。
【００３７】
本発明の好ましい実施の形態においては、上記中間面と上記第２側面とは、第２角部を形成している。
【００３８】
本発明の好ましい実施の形態においては、上記第１角部および第２角部の少なくともいずれかは、直角である。
【００３９】
本発明の好ましい実施の形態においては、上記第１側面の上記放熱層の厚さ方向寸法は、上記第２側面の上記放熱層の厚さ方向寸法よりも大である。
【００４０】
本発明の好ましい実施の形態においては、上記放熱層と上記ダイパッド部とは、接合層を介して接合されている。
【００４１】
本発明の好ましい実施の形態においては、上記放熱層の上記放熱層主面には、上記放熱層の厚さ方向に対して直角である方向に延びる複数の溝が形成されている。
【００４２】
本発明の好ましい実施の形態においては、上記各溝は、断面矩形状である。
【００４３】
本発明の好ましい実施の形態においては、上記複数の溝のいずれかは、上記接合層に接している。
【００４４】
本発明の好ましい実施の形態においては、上記複数の溝のいずれかは、上記封止樹脂部に接している。
【００４５】
本発明の第６の側面によって提供される半導体装置は、互いに反対方向を向くダイパッド主面およびダイパッド裏面を有する複数のダイパッド部と、上記複数のダイパッド主面に各別に搭載された複数の半導体チップと、底面から凹んでいるとともに上記各ダイパッド裏面を共通に露出させる凹部が形成され、且つ、上記各ダイパッド部および上記各半導体チップを共通に覆う封止樹脂部と、上記凹部に配置され、上記ダイパッド裏面に対面する放熱層主面およびこの放熱層主面とは反対側にある放熱層裏面を有し、且つ、上記各ダイパッド部に共通に接合された放熱層と、を備え、上記放熱層は、上記ダイパッド裏面が広がる方向において上記各ダイパッド部よりも外側に位置し、上記放熱層裏面に繋がる第１側面、上記第１側面に繋がり、上記放熱層主面が向く方向を向く中間面、上記中間面に繋がり、上記ダイパッド裏面が広がる方向において上記ダイパッド部と上記第１側面との間に位置する第２側面、を有することを特徴としている。
【００４６】
本発明の第７の側面によって提供されるワイヤボンディング方法は、１対の押さえ片を、ボンディング対象物の互いに離間した２か所に押圧した状態で、上記ボンディング対象物のうち上記１対の押さえ片が離間する方向において上記１対の押さえ片の間に位置する部位にワイヤをボンディングするワイヤボンディング工程を有することを特徴としている。
【００４７】
本発明の好ましい実施の形態においては、上記ワイヤボンディング工程においては、上記ボンディング対象物のうち上記１対の押さえ片を結ぶ直線と交差する部位に上記ワイヤをボンディングする。
【００４８】
本発明の好ましい実施の形態においては、上記ボンディング対象物は、金属板からなるダイパッド部と、このダイパッド部に搭載され、１以上の電極を有する半導体チップと、を含み、上記ワイヤボンディング工程においては、上記ダイパッド部のうち上記半導体チップを挟む位置に上記１対の押さえ片を押圧した状態で、上記電極に対してワイヤをボンディングする。
【００４９】
本発明の好ましい実施の形態においては、上記半導体チップは、複数の電極を有しており、上記ワイヤボンディング工程においては、上記複数の電極を挟む位置に上記１対の押さえ片を押圧した状態で、上記複数の電極に対して個別にワイヤをボンディングする。
【００５０】
本発明の好ましい実施の形態においては、上記ボンディング対象物は、金属板からなるワイヤボンディング部を含み、上記ワイヤボンディング工程においては、上記ワイヤボンディング部に対して上記１対の押さえ片を押圧した状態で、上記ワイヤボンディング部にワイヤをボンディングする。
【００５１】
本発明の好ましい実施の形態においては、上記ボンディング対象物は、金属板からなるダイパッド部と、このダイパッド部に搭載され、１以上の電極を有する半導体チップと、上記ダイパッド部と離間したワイヤボンディング部と、を含み、上記ワイヤボンディング工程においては、上記ダイパッド部のうち上記半導体チップを挟む位置に上記１対の押さえ片を押圧した状態で、上記電極に対してワイヤをボンディングし、上記ワイヤボンディング工程の後に、上記ワイヤボンディング部に対して追加の１対の押さえ片を押圧した状態で、上記ワイヤボンディング部にワイヤをボンディングする追加のワイヤボンディング工程を有する。
【００５２】
本発明の好ましい実施の形態においては、上記半導体チップは、複数の電極を有しており、上記ワイヤボンディング工程においては、上記複数の電極を挟む位置に上記１対の押さえ片を押圧した状態で、上記複数の電極に対して個別にワイヤをボンディングする。
【００５３】
本発明の好ましい実施の形態においては、上記ワイヤは、アルミからなる。
【００５４】
本発明の好ましい実施の形態においては、上記ワイヤボンディング工程においては、上記ワイヤに対して圧力および振動を加える。
【００５５】
本発明の第８の側面によって提供される半導体装置は、互いに反対方向を向く主面および裏面を有するダイパッド部と、上記ダイパッド部の上記主面に搭載されており、１以上の電極を有する半導体チップと、上記ダイパッド部および上記半導体チップを覆う封止樹脂部と、を備え、上記ダイパッド部には、互いに離間する１対の押さえ痕が形成されており、上記電極のうち上記１対の押さえ痕が離間する方向において上記１対の押さえ痕の間に位置する部位にワイヤの一端がボンディングされていることを特徴としている。
【００５６】
本発明の好ましい実施の形態においては、上記ワイヤの一端は、上記電極のうち上記１対の押さえ痕を結ぶ直線と交差する部位にボンディングされている。
【００５７】
本発明の好ましい実施の形態においては、上記ダイパッド部に対して離間したワイヤボンディング部をさらに備えており、上記ワイヤボンディング部には、互いに離間する追加の１対の押さえ痕が形成されており、上記ワイヤボンディング部のうち上記追加の１対の押さえ痕が離間する方向において上記追加の１対の押さえ痕の間に位置する部位に上記ワイヤの他端がボンディングされている。
【００５８】
本発明の好ましい実施の形態においては、上記ワイヤの他端は、上記ワイヤボンディング部のうち上記追加の１対の押さえ痕を結ぶ直線と交差する部位にボンディングされている。
【００５９】
本発明の第９の側面によって提供される半導体装置は、互いに反対方向を向く主面および裏面を有するダイパッド部と、上記ダイパッド部の上記主面に搭載されており、１以上の電極を有する半導体チップと、上記半導体チップとワイヤを介して電気的に接続されるリードと、上記ダイパッド部、上記半導体チップおよび上記リードの一部を覆う封止樹脂部と、を備え、上記リードの上記ワイヤの一端がボンディングされている接続部を挟む上記リードの表面には、互いに離間する１対の押さえ痕が形成されていることを特徴としている。
【００６０】
本発明の好ましい実施の形態においては、上記押さえ痕を有するリードは、押さえ痕のないリードよりも幅広の部分を有する。
【００６１】
本発明の好ましい実施の形態においては、上記ワイヤは太さの異なる種類を有し、上記押さえ痕は太さの太い上記ワイヤの接続部の近くのみに形成されている。
【００６２】
本発明の好ましい実施の形態においては、上記半導体チップは複数あり、上記太さの太いワイヤは一部の上記半導体チップと上記リードとの間のみを電気的に接続する。
【００６３】
本発明の好ましい実施の形態においては、上記半導体チップを挟む上記ダイパッドの表面には、上記半導体チップを挟んで互いに離間する１対の押さえ痕が形成されている。
【００６４】
本発明の好ましい実施の形態においては、上記半導体チップは、複数あり、かつ、出力トランジスタとその制御用の半導体チップとを含み、上記リードの押さえ痕は、上記出力トランジスタと接続された上記リードの接続部を挟んで互いに離間するように形成されている。
【００６５】
本発明の第１０の側面によって提供される半導体装置の製造方法は、ダイパッド部の主面に導電性接合ペーストを塗布する塗布工程と、上記主面が向く方向視における大きさが、上記導電性接合ペーストが塗布された領域よりも大である半導体チップの裏面を、上記主面が向く方向視において上記導電性接合ペーストが塗布された領域を内方に含むように上記導電性接合ペーストに接しさせる載置工程と、上記導電性接合ペーストを軟化させた後に硬化させることにより導電性接合材を形成する接合工程と、を備えることを特徴としている。
【００６６】
本発明の好ましい実施の形態においては、上記導電性接合ペーストは、はんだペーストである。
【００６７】
本発明の好ましい実施の形態においては、上記塗布工程においては、開口を有するマスクによって上記主面を覆った後に、上記開口に上記導電性接合ペーストを埋める。
【００６８】
本発明の好ましい実施の形態においては、上記半導体チップの上記裏面は、上記ダイパッド部の上記主面よりも上記導電性接合ペーストに対する濡れ性が高い。
【００６９】
本発明の好ましい実施の形態においては、上記半導体チップの上記裏面は、Ａｇ、Ａｕ、Ｎｉまたはこれらの金属を含む合金からなり、上記ダイパッド部の上記主面は、Ｃｕ、ＦｅＮｉ合金、Ｆｅのいずれかからなる。
【００７０】
本発明の第１１の側面によって提供される半導体装置は、主面を有するダイパッド部と、裏面を有する半導体チップと、上記ダイパッド部の上記主面および上記半導体チップの上記裏面の間に介在し、上記ダイパッド部と上記半導体チップとを接合する導電性接合材と、を備えており、上記半導体チップの上記裏面と上記導電性接合材との接合面積は、上記ダイパッド部の上記主面と上記導電性接合材との接合面積よりも大であることを特徴としている。
【００７１】
本発明の好ましい実施の形態においては、上記導電性接合材は、はんだである。
【００７２】
本発明の好ましい実施の形態においては、上記半導体チップの上記裏面は、上記ダイパッド部の上記主面よりも上記導電性接合ペーストに対する濡れ性が高い。
【００７３】
本発明の好ましい実施の形態においては、上記半導体チップの上記裏面は、Ａｇ、Ａｕ、Ｎｉまたはこれらの金属を含む合金からなり、上記ダイパッド部の上記主面は、Ｃｕ、ＦｅＮｉ合金、Ｆｅのいずれかからなる。
【００７４】
本発明の第１２の側面によって提供される半導体装置は、互いに反対方向を向く主面および裏面を有するダイパッド部と、上記ダイパッド部の上記主面に搭載される複数の半導体チップと、上記ダイパッド部の主面および上記複数の半導体チップのそれぞれの裏面との間に介在し、上記ダイパッド部と上記複数の半導体チップとを接合する導電性接合材と、を備えており、上記複数の半導体チップのそれぞれの裏面と上記導電性接合材との接合面積は、上記ダイパッド部の主面に上記半導体チップに対応してそれぞれ形成された上記導電性接合材との接合面積よりも大であることを特徴としている。
【００７５】
本発明の好ましい実施の形態においては、上記半導体チップは、複数の出力トランジスタとその制御用の半導体チップとを有し、上記複数の出力トランジスタにて、上記接合面積の関係を有する。
【００７６】
本発明の好ましい実施の形態においては、上記複数の出力トランジスタの出力を外部にそれぞれ取り出すための複数のリードと、上記出力トランジスタと上記リードとをそれぞれ接続する複数のワイヤを更に有し、上記ワイヤはアルミニウムである。
【００７７】
本発明のその他の特徴および利点は、添付図面を参照して以下に行う詳細な説明によって、より明らかとなろう。
【図面の簡単な説明】
【００７８】
【図１】本発明の第１Ａ実施形態に基づく半導体装置の実装構造を示す断面図である。
【図２】本発明の第１Ａ実施形態に基づく半導体装置のリードを折り曲げる前の平面図（一部構成省略）である。
【図３】本発明の第１Ａ実施形態に基づく半導体装置のリードを折り曲げる前の底面図である。
【図４】図２のＩＶ−ＩＶ線に沿う断面図である。
【図５】図４の要部拡大断面図である。
【図６】本発明の第１Ａ実施形態に基づく半導体装置の製造方法の一工程を示す平面図である。
【図７】図６に続く一工程を示す断面図である。
【図８】図７に続く一工程を示す断面図である。
【図９】図８に続く一工程を示す断面図である。
【図１０】本発明の第２Ａ実施形態に基づく半導体装置のリードを折り曲げる前の底面図である。
【図１１】図１０のＸＩ−ＸＩ線に沿う要部拡大断面図である。
【図１２】本発明の第１Ｂ実施形態に基づく半導体装置の実装構造を示す断面図である。
【図１３】本発明の第１Ｂ実施形態に基づく半導体装置のリードを折り曲げる前の平面図（一部構成省略）である。
【図１４】本発明の第１Ｂ実施形態に基づく半導体装置のリードを折り曲げる前の底面図である。
【図１５】図１３のＸＶ−ＸＶ線に沿う断面図である。
【図１６】図１５の要部拡大断面図である。
【図１７】本発明の第１Ｂ実施形態に基づく半導体装置の製造方法の一工程を示す平面図である。
【図１８】図１７に続く一工程を示す断面図である。
【図１９】図１８に続く一工程を示す断面図である。
【図２０】図１９に続く一工程を示す断面図である。
【図２１】本発明の第２Ｂ実施形態に基づく半導体装置のリードを折り曲げる前の底面図である。
【図２２】図２１のＸＸＩＩ−ＸＸＩＩ線に沿う要部拡大断面図である。
【図２３】本発明の第１Ｃ実施形態に基づく半導体装置の実装構造を示す断面図である。
【図２４】本発明の第１Ｃ実施形態に基づく半導体装置のリードを折り曲げる前の平面図（一部構成省略）である。
【図２５】本発明の第１Ｃ実施形態に基づく半導体装置のリードを折り曲げる前の底面図である。
【図２６】図２４のＸＸＶＩ−ＸＸＶＩ線に沿う断面図である。
【図２７】図２６の要部拡大断面図である。
【図２８】本発明の第１Ｃ実施形態に基づく半導体装置の製造方法の一工程を示す平面図である。
【図２９】図２８に続く一工程を示す断面図である。
【図３０】本発明の第２Ｃ実施形態に基づく半導体装置を示す断面図である。
【図３１】図３０に示す半導体装置の放熱層を示す平面図である。
【図３２】本発明の第１Ｄ実施形態に基づく半導体装置の実装構造を示す断面図である。
【図３３】本発明の第１Ｄ実施形態に基づく半導体装置のリードを折り曲げる前の平面図（一部構成省略）である。
【図３４】本発明の第１Ｄ実施形態に基づく半導体装置の要部平面図である。
【図３５】本発明の第１Ｄ実施形態に基づく半導体装置のリードを折り曲げる前の底面図である。
【図３６】図３３のＸＸＸＶＩ−ＸＸＸＶＩ線に沿う断面図である。
【図３７】本発明の第１Ｄ実施形態に基づく半導体装置の製造方法の一工程を示す平面図である。
【図３８】本発明に係るワイヤボンディング方法に用いられるボンディング装置の一例を示す側面図である。
【図３９】本発明の第１Ｄ実施形態に基づく半導体装置の製造方法の一工程を示す要部斜視図である。
【図４０】図３９に続く一工程を示す要部斜視図である。
【図４１】図４０に続く一工程を示す要部斜視図である。
【図４２】図４１に続く一工程を示す要部斜視図である。
【図４３】図４２に続く一工程を示す要部斜視図である。
【図４４】図４２に続く一工程を示す要部平面図である。
【図４５】図４２に続く一工程を示す平面図である。
【図４６】図４５に続く一工程を示す断面図である。
【図４７】図４６に続く一工程を示す断面図である。
【図４８】図４７に続く一工程を示す断面図である。
【図４９】本発明の第１Ｅ実施形態に基づく半導体装置の実装構造を示す断面図である。
【図５０】本発明の第１Ｅ実施形態に基づく半導体装置のリードを折り曲げる前の平面図（一部構成省略）である。
【図５１】本発明の第１Ｅ実施形態に基づく半導体装置のリードを折り曲げる前の底面図である。
【図５２】図５０のＬＩＩ−ＬＩＩ線に沿う断面図である。
【図５３】図５２の要部拡大断面図である。
【図５４】本発明の第１Ｅ実施形態に基づく半導体装置の製造方法の一工程を示す平面図である。
【図５５】図５４に続く一工程を示す要部拡大断面図である。
【図５６】図５５に続く一工程を示す要部拡大断面図である。
【図５７】図５６に続く一工程を示す要部拡大断面図である。
【図５８】図５７に続く一工程を示す要部拡大断面図である。
【図５９】図５８に続く一工程を示す要部拡大断面図である。
【図６０】図５９に続く一工程を示す平面図である。
【図６１】図６０に続く一工程を示す平面図である。
【図６２】図６１に続く一工程を示す断面図である。
【図６３】図６２に続く一工程を示す断面図である。
【図６４】図６３に続く一工程を示す断面図である。
【発明を実施するための形態】
【００７９】
以下、本発明の好ましい実施の形態につき、図面を参照して具体的に説明する。
【００８０】
図１は、本発明の第１Ａ実施形態に基づく半導体装置が用いられた実装構造を示す断面図である。
【００８１】
図１に示す半導体装置の実装構造８０１は、半導体装置１０１Ａと、基板８０７と、放熱部材８０８とを備える。
【００８２】
基板８０７は、複数の電子部品が実装されるものである。基板８０７は絶縁性の材料よりなる。基板８０７には図示しない配線パターンが形成されている。基板８０７には、複数の孔８０９が形成されている。放熱部材８０８は、熱伝導率の比較的大きな材料、たとえば、アルミニウムなどの金属よりなる。放熱部材８０８は、図示しない支持部材によって基板８０７に対し固定されている。半導体装置１０１Ａは、基板８０７に実装されている。本実施形態において半導体装置１０１Ａは、ＩＰＭ（Ｉｎｔｅｌｌｉｇｅｎｔ  Ｐｏｗｅｒ  Ｍｏｄｕｌｅ）と称される製品である。半導体装置１０１Ａは、たとえば、エアーコンディショナーやモータ制御機器などの電源制御等の用途に用いられる。
【００８３】
図２は、本発明の第１Ａ実施形態に基づく半導体装置のリードを折り曲げる前の平面図（一部構成省略）である。図３は、本発明の第１Ａ実施形態に基づく半導体装置のリードを折り曲げる前の底面図である。図４は、図２のＩＶ−ＩＶ線に沿う断面図である。図５は、図４の要部拡大断面図である。なお、図１は、図２のＩ−Ｉ線に沿う断面に相当する。図４においては理解の便宜上、各構成を模式化して示している。
【００８４】
これらの図に示す半導体装置１０１Ａは、複数の第１電極部１、第２電極部２、および、第３電極部３と、複数の半導体チップ４１，４２と、受動部品チップ４３と、放熱層６と、封止樹脂部７と、ワイヤ８と、を備える。図２においては、放熱層６を点線で示し、封止樹脂部７を仮想線で示している。
【００８５】
封止樹脂部７は、複数の第１電極部１、第２電極部２、および、第３電極部３と、半導体チップ４１，４２と、受動部品チップ４３と、を覆っている。封止樹脂部７は、たとえば、黒色のエポキシ樹脂よりなる。図３、図４に示すように、封止樹脂部７は、樹脂主面７１と、樹脂底面７２と、樹脂側面７３と、を有する。
【００８６】
樹脂主面７１は、方向ｚ１を向き、且つ、ｘｙ平面に沿う平坦な面である。樹脂底面７２は、方向ｚ１とは反対側の方向ｚ２を向き、且つ、ｘｙ平面に沿う平坦な面である。樹脂側面７３は、ｘｙ平面視において半導体チップ４１，４２および受動部品チップ４３を囲む形状である。樹脂側面７３は、樹脂主面７１と樹脂底面７２とにつながる。
【００８７】
図４によく表れているように、封止樹脂部７には凹部７５が形成されている。凹部７５は樹脂底面７２から凹む。凹部７５は、凹部底面７５１、凹部側面７５２、および凹部溝７５３を有する。凹部底面７５１はｘｙ平面に沿う形状である。凹部側面７５２は、樹脂底面７２につながる。凹部側面７５２は、おおむね方向ｚに沿っている。
【００８８】
凹部溝７５３は、凹部底面７５１と凹部側面７５２との間に位置しており、本実施形態においては、凹部７５のｚ方向視外縁に沿って矩形環状に配置されている。図５に示すように、凹部溝７５３は、凹部底面７５１からｚ１方向に凹んでいる。本実施形態においては、凹部溝７５３は、ｚ方向視において金属層６５の外側に配置されている。また、凹部溝７５３は、凹部底面７５１からｘ方向において離間するほどｚ１方向に位置するように傾斜している。凹部溝７５３の最深部の深さは、たとえば５０μｍ程度である。
【００８９】
図２に示すように、半導体チップ４１，４２および受動部品チップ４３は平面視矩形状を呈する。半導体チップ４１は、たとえば、ＩＧＢＴ，ＭＯＳ，ダイオードなどのパワーチップである。半導体チップ４２は、コントロールＩＣなどのＬＳＩチップである。受動部品チップ４３は、たとえば、抵抗もしくはコンデンサなどの受動部品である。
【００９０】
図２〜４に示す第１電極部１、第２電極部２、および、第３電極部３は、いずれも導電性材料よりなる。このような導電性材料としては、たとえば銅が挙げられる。なお、図２の右下に記載の電極部はグランド接続される。
【００９１】
複数（本実施形態では４つ）の第１電極部１はそれぞれ、ダイパッド部１１（図１、図２、図４参照）と、接続部１２（図１、図２参照）と、ワイヤボンディング部１３（図１、図２参照）と、リード１４（図１〜図３参照）と、を含む。複数の第１電極部１は、方向ｘにおいて互いに離間している。
【００９２】
各ダイパッド部１１は、ｘｙ平面に沿う板状である。ダイパッド部１１には半導体チップ４１が配置されている。図４に示すように、ダイパッド部１１と半導体チップ４１との間には、接合層９９１が介在している。接合層９９１は、導電性材料よりなる。このような導電性材料は、たとえばハンダもしくは銀ペーストである。ハンダは熱伝導率が比較的大きい。接合層９９１としてハンダを用いると、半導体チップ４１からダイパッド部１１に熱を効率よく伝えることができる。複数のダイパッド部１１はいずれも、凹部底面７５１から露出している。
【００９３】
各ダイパッド部１１は、ダイパッド主面１１１とダイパッド裏面１１２とを有する。ダイパッド主面１１１は方向ｚ１を向き、ダイパッド裏面１１２は方向ｚ２を向く。すなわちダイパッド主面１１１およびダイパッド裏面１１２は互いに反対側を向く。ダイパッド主面１１１には、半導体チップ４１が配置されている。ダイパッド主面１１１と半導体チップ４１との間には接合層９９１が介在している。ダイパッド裏面１１２は、凹部底面７５１に対し、ダイパッド部１１の厚さ方向（方向ｚ）において、同位置に位置している。ダイパッド裏面１１２は、凹部底面７５１よりも、凹部７５が開口する方向側に位置していてもよい。
【００９４】
図２に示すように、各接続部１２は、ダイパッド部１１とワイヤボンディング部１３との間に位置し且つダイパッド部１１とワイヤボンディング部１３とにつながる。図１に示すように、接続部１２は、ｘｙ平面に傾斜する面に沿う形状である。接続部１２は、ダイパッド部１１から離間するにつれ方向ｚ１に向かうようにｘｙ平面に対し傾斜している。
【００９５】
図１、図２に示す各ワイヤボンディング部１３はｘｙ平面に沿う形状である。各ワイヤボンディング部１３は、方向ｚにおいて、ダイパッド部１１よりも方向ｚ１側に位置する。一のワイヤボンディング部１３と一の半導体チップ４１とには、ワイヤ８がボンディングされている。これにより、一のワイヤボンディング部１３と一の半導体チップ４１とが導通している。リード１４は、ワイヤボンディング部１３につながる。各リード１４は方向ｙに沿って延びる。リード１４は、封止樹脂部７の樹脂側面７３から突出する部位を有する。本実施形態にてリード１４は挿入実装用のものである。図１に示すように、半導体装置１０１Ａの基板８０７への実装時において、リード１４は折れ曲げられ、孔８０９に挿入される。リード１４を基板８０７に固定するために、孔８０９にハンダ層８１０が充填されている。
【００９６】
図２に示すように、複数（本実施形態では３つ）の第２電極部２はそれぞれ、ワイヤボンディング部２３と、リード２４と、を含む。複数の第２電極部２は、方向ｘにおいて互いに離間している。
【００９７】
各ワイヤボンディング部２３はｘｙ平面に沿う形状である。各ワイヤボンディング部２３は、方向ｚにおいて、ダイパッド部１１よりも方向ｚ１側に位置する。一のワイヤボンディング部２３と一の半導体チップ４１とには、ワイヤ８がボンディングされている。これにより、一のワイヤボンディング部２３と一の半導体チップ４１とが導通している。リード２４は、ワイヤボンディング部２３につながる。各リード２４は方向ｙに沿って延びる。リード２４は、封止樹脂部７の樹脂側面７３から突出する部位を有する。本実施形態にてリード２４は挿入実装用のものである。図示しないが、リード１４と同様に、半導体装置１０１Ａの基板８０７への実装時においてリード２４は孔８０９に挿入される。
【００９８】
図１、図２に示す第３電極部３は、複数の制御用ダイパッド部３１と、複数のリード３２とを含む。制御用ダイパッド部３１およびリード３２はいずれも、方向ｚにおいて同じ位置に配置されている。各制御用ダイパッド部３１には、半導体チップ４２もしくは受動部品チップ４３が配置されている。制御用ダイパッド部３１と半導体チップ４２との間、および、制御用ダイパッド部３１と受動部品チップ４３との間には、接合層（図示略）が介在している。制御用ダイパッド部３１の裏面は、放熱層６と対向していなくても良いし、露出していなくても良い。
【００９９】
各リード３２は、封止樹脂部７の樹脂側面７３から突出する部位を有する。本実施形態にてリード３２は挿入実装用のものである。図１に示すように、半導体装置１０１Ａの基板８０７への実装時においてリード３２は孔８０９に挿入される。リード１４に関して述べたように、リード３２を基板８０７に固定するために、孔８０９にハンダ層８１０が充填されている。一のリード３２と一の半導体チップ４２とには、ワイヤ８がボンディングされている。これにより、一のリード３２と一の半導体チップ４２とが導通している。また、ワイヤ８は、一の半導体チップ４２と一の受動部品チップ４３とにもボンディングされている。
【０１００】
放熱層６は、図４に示すように、封止樹脂部７における凹部７５に配置されている。放熱層６は、凹部側面７５２に囲まれている。本実施形態において、放熱層６は、ｘｙ平面に沿う板状である。本実施形態においては、放熱層６は、金属層６５および接合層６６からなる。金属層６５は、ｚ２方向側にあり、たとえば厚さが１０５μｍ程度のＣｕやアルミニウムやセラミックスからなる。接合層６６は、金属層６５に対してｚ１方向側にあり、金属層６５を複数のダイパッド部１１のダイパッド裏面１１２に接合する機能を果たす。接合層６６は、たとえば絶縁性の樹脂からなり、その厚さがたとえば２５０μｍ程度である。この樹脂は、半導体装置１０１Ａの製造工程において、圧力および振動を加えられることにより軟化する材質である。接合層６６は、半導体チップ４１が搭載される複数のダイパッド部１１のいずれにも直接接している。金属層６５は、樹脂底面７２から若干突出している部位を有してもよい。図５に示すように、接合層６６の一部は、凹部溝７５３を埋めている。また、接合層６６は、凹部側面７５２に接している。
【０１０１】
放熱層６は、半導体チップ４１にて発生した熱を速やかに半導体装置１０１Ａの外部に放出するために、設けられている。半導体チップ４１にて発生した熱を速やかに半導体装置１０１Ａの外部に放出するには、放熱層６を構成する材料の熱伝導率は大きければ大きいほど良いが、封止樹脂部７と熱膨張係数が大きく異なると、金属層６５が剥離し易くなる等の問題を生じるおそれがある。好ましくは、放熱層６は、封止樹脂部７を構成する材料の熱伝導率よりも熱伝導率が大きく、熱膨張係数が封止樹脂部７に近い材料よりなる。放熱層６は、複数のダイパッド部１１のいずれにも正対している。図３に示すように、放熱層６は、ｘｙ平面視（放熱層６の厚さ方向視）において、各ダイパッド部１１の全体に重なる。
【０１０２】
図３、図４に示すように、放熱層６は放熱層主面６１と放熱層裏面６２とを有する。放熱層主面６１は方向ｚ１を向く。放熱層主面６１は、ｘｙ平面視において、各ダイパッド部１１のダイパッド裏面１１２と、凹部底面７５１とに重なる。放熱層主面６１は、ダイパッド裏面１１２および凹部底面７５１に直接接する。放熱層裏面６２は放熱層主面６１の向く方向とは反対方向である方向ｚ２を向く。放熱層裏面６２は封止樹脂部７に覆われておらず、封止樹脂部７から露出している。
【０１０３】
次に、半導体装置１０１Ａの製造方法について説明する。製造方法の説明にて用いる図では、上述と同一の構成については、同一の符号を付している。
【０１０４】
まず、図６に示すように、複数のダイパッド部１１，３１を含むリードフレーム３００と、複数の半導体チップ４１，４２と、受動部品チップ４３とを用意する。次に、同図に示すように、接合層（図示略）を介して、各半導体チップ４１を複数のダイパッド部１１のいずれか一つに配置する。同様に、各半導体チップ４２および受動部品チップ４３を、接合層（図示略）を介して、複数の制御用ダイパッド部３１のいずれか一つに配置する。次に、同図に示すように、ワイヤ８を各半導体チップ４１，４２等にボンディングする。
【０１０５】
次に、図７、図８に示すように、封止樹脂部７を形成する。図７に示すように、封止樹脂部７は、金型８８１を用いたモールド成型により形成する。同図に示すように、金型８８１で複数のダイパッド部１１などを押さえつける。次に、金型８８１内に樹脂材を注入し、当該樹脂材を硬化させる。当該樹脂材が硬化すると、図８に示すように、金型８８１を複数のダイパッド部１１などから取り外す。これにより、封止樹脂部７を形成できる。封止樹脂部７を形成する工程においては、複数のダイパッド部１１を露出させる凹部７５を封止樹脂部７に形成する。
【０１０６】
次に、図９に示すように、封止樹脂部７の凹部７５に放熱層６をはめ込む。そして、放熱層６に圧力および振動を加える。さらに、放熱層６を加熱してもよい。これらの加圧、加振、加熱により、放熱層６の接合層６６が軟化する。軟化した接合層６６は、凹部７５内を移動し、その一部が凹部溝７５３に充填される。また接合層６６は、凹部側面７５２に接する。
【０１０７】
次に、図６に示したリードフレーム３００を適宜切断することにより、図２等に示した半導体装置１０１Ａが製造される。
【０１０８】
次に、本実施形態の作用効果について説明する。
【０１０９】
半導体装置１０１Ａにおいて、接合層６６の一部が凹部溝７５３を埋めている。この埋めている分だけ、半導体装置１０１Ａの製造工程において、凹部７５から接合層６６があふれることを抑制することができる。したがって、接合層６６が金属層６５よりも外側にあふれ出すことによって放熱層６と放熱部材８０８との間に隙間が生じることを阻止可能であり、半導体チップ４１，４２からの熱を効率よく放熱することができる。
【０１１０】
凹部溝７５３を金属層６５の外側に配置することにより、金属層６５と凹部溝７５３との間に意図しない空隙が生じることを防止することができる。空隙を排除することは、放熱をより高め、且つ、金属層６５の剥離を生じ難くするのに適している。
【０１１１】
凹部溝７５３をテーパ形状とすることにより、金属層６５のｘ方向またはｙ方向位置が万が一ずれても、ｚ方向視において金属層６５と重なる凹部溝７５３の容積を縮小することが可能である。これは、上述した空隙の排除に好ましい。
【０１１２】
図１０および図１１は、本発明の第２Ａ実施形態に基づく半導体装置を示している。なお、これらの図において、上記実施形態と同一または類似の要素には、上記実施形態と同一の符号を付している。本実施形態の半導体装置１０２Ａにおいては、凹部７５の構成が上述した半導体装置１０１Ａと異なっている。
【０１１３】
本実施形態においては、凹部７５は、複数の凹部溝７５３を有しており、さらに複数ずつの凹部第１側面７５４、凹部第２側面７５５、および凹部支持面７５６を有している。図１０に示すように、複数の凹部溝７５３と複数ずつの凹部第１側面７５４、凹部第２側面７５５、および凹部支持面７５６とは、凹部７５の外縁に沿って交互に配置されている。凹部７５の四隅に相当する部分には、凹部第１側面７５４、凹部第２側面７５５、および凹部支持面７５６が配置されている。
【０１１４】
図１１に示すように、凹部第１側面７５４は、樹脂底面７２に繋がっており、おおむねｚ方向に沿っている。凹部第１側面７５４は、ｚ方向視においてダイパッド部１１の外側に位置している。凹部第２側面７５５は、凹部底面７５１に繋がっており、おおむねｚ方向に沿っている。凹部第２側面７５５は、ｚ方向視においてダイパッド部１１と凹部第１側面７５４との間に位置している。凹部支持面７５６は、凹部第１側面７５４と凹部第２側面７５５とを繋いでおり、おおむねｚ２方向を向いている。
【０１１５】
本実施形態においては、凹部第２側面７５５に囲まれた領域は、接合層６６によって埋められている。また、金属層６５と凹部支持面７５６との間に、接合層６６の一部が介在している。
【０１１６】
半導体装置１０２Ａにおいては、半導体装置１０１Ａによって奏される効果に加えて、凹部支持面７５６によって金属層６５が少なくとも間接的に支持されることとなる。このため、金属層６５が樹脂底面７２に対して不当に傾いてしまったり、凹んでしまうことを防止することが可能である。したがって、金属層６５に対し密着させるように取り付けられる放熱部材８０８との間に隙間が生じることを抑制可能であり、半導体チップ４１，４２からの放熱を高めることができる。
【０１１７】
金属層６５と凹部支持面７５６との間に接合層６６を介在させることにより、金属層６５を封止樹脂部７に対して確実に固定することができる。金属層６５の端部に接合層６６がいきわたっていないと、その部分から金属層６５の剥離が伝播するおそれがある。本実施形態においては、そのようなおそれは少ない。
【０１１８】
本発明は、上述した実施形態に限定されるものではない。本発明の各部の具体的な構成は、種々に設計変更自在である。例えば、封止樹脂の裏面から金属層が露出している半導体装置で有れば、挿入実装ではなく、表面実装用の端子の場合も同様に使用できる。また、上述したＩＰＭ装置だけでなく、半導体チップとアイランドとがそれぞれ１つしかなく、封止樹脂の裏面から金属層が露出している駆動素子を封止する半導体装置にも適用できる。
【０１１９】
図１２は、本発明の第１Ｂ実施形態に基づく半導体装置が用いられた実装構造を示す断面図である。
【０１２０】
図１２に示す半導体装置の実装構造８０１は、半導体装置１０１Ｂと、基板８０７と、放熱部材８０８とを備える。
【０１２１】
基板８０７は、複数の電子部品が実装されるものである。基板８０７は絶縁性の材料よりなる。基板８０７には図示しない配線パターンが形成されている。基板８０７には、複数の孔８０９が形成されている。放熱部材８０８は、熱伝導率の比較的大きな材料、たとえば、アルミニウムなどの金属よりなる。放熱部材８０８は、図示しない支持部材によって基板８０７に対し固定されている。半導体装置１０１Ｂは、基板８０７に実装されている。本実施形態において半導体装置１０１Ｂは、ＩＰＭ（Ｉｎｔｅｌｌｉｇｅｎｔ  Ｐｏｗｅｒ  Ｍｏｄｕｌｅ）と称される製品である。半導体装置１０１Ｂは、たとえば、エアーコンディショナーやモータ制御機器などの電源制御等の用途に用いられる。
【０１２２】
図１３は、本発明の第１Ｂ実施形態に基づく半導体装置のリードを折り曲げる前の平面図（一部構成省略）である。図１４は、本発明の第１Ｂ実施形態に基づく半導体装置のリードを折り曲げる前の底面図である。図１５は、図１３のＸＶ−ＸＶ線に沿う断面図である。図１６は、図１５の要部拡大断面図である。なお、図１２は、図１３のＸＩＩ−ＸＩＩ線に沿う断面に相当する。図１５においては理解の便宜上、各構成を模式化して示している。
【０１２３】
これらの図に示す半導体装置１０１Ｂは、複数の第１電極部１、第２電極部２、および、第３電極部３と、複数の半導体チップ４１，４２と、受動部品チップ４３と、放熱層６と、封止樹脂部７と、ワイヤ８と、を備える。図１３においては、放熱層６を点線で示し、封止樹脂部７を仮想線で示している。
【０１２４】
封止樹脂部７は、複数の第１電極部１、第２電極部２、および、第３電極部３と、半導体チップ４１，４２と、受動部品チップ４３と、を覆っている。封止樹脂部７は、たとえば、黒色のエポキシ樹脂よりなる。図１４、図１５に示すように、封止樹脂部７は、樹脂主面７１と、樹脂底面７２と、樹脂側面７３と、を有する。
【０１２５】
樹脂主面７１は、方向ｚ１を向き、且つ、ｘｙ平面に沿う平坦な面である。樹脂底面７２は、方向ｚ１とは反対側の方向ｚ２を向き、且つ、ｘｙ平面に沿う平坦な面である。樹脂側面７３は、ｘｙ平面視において半導体チップ４１，４２および受動部品チップ４３を囲む形状である。樹脂側面７３は、樹脂主面７１と樹脂底面７２とにつながる。
【０１２６】
図１５によく表れているように、封止樹脂部７には凹部７５が形成されている。凹部７５は樹脂底面７２から凹む。凹部７５は、凹部底面７５１、凹部第１側面７５４、凹部第２側面７５５、および凹部支持面７５６を有する。凹部底面７５１はｘｙ平面に沿う形状である。凹部側面７５２は、樹脂底面７２につながる。
【０１２７】
図１６に示すように、凹部第１側面７５４は、樹脂底面７２に繋がっており、おおむねｚ方向に沿っている。凹部第１側面７５４は、ｚ方向視においてダイパッド部１１の外側に位置している。凹部第２側面７５５は、凹部底面７５１に繋がっており、おおむねｚ方向に沿っている。凹部第２側面７５５は、ｚ方向視においてダイパッド部１１と凹部第１側面７５４との間に位置している。凹部支持面７５６は、凹部第１側面７５４と凹部第２側面７５５とを繋いでおり、おおむねｚ２方向を向いている。
【０１２８】
図１３に示すように、半導体チップ４１，４２および受動部品チップ４３は平面視矩形状を呈する。半導体チップ４１は、たとえば、ＩＧＢＴ，ＭＯＳ，ダイオードなどのパワーチップである。半導体チップ４２は、コントロールＩＣなどのＬＳＩチップである。受動部品チップ４３は、たとえば、抵抗もしくはコンデンサなどの受動部品である。
【０１２９】
図１３〜４に示す第１電極部１、第２電極部２、および、第３電極部３は、いずれも導電性材料よりなる。このような導電性材料としては、たとえば銅が挙げられる。なお、図１３の右下に記載の電極部はグランド接続される。
【０１３０】
複数（本実施形態では４つ）の第１電極部１はそれぞれ、ダイパッド部１１（図１２、図１３、図１５参照）と、接続部１２（図１２、図１３参照）と、ワイヤボンディング部１３（図１２、図１３参照）と、リード１４（図１２〜図１４参照）と、を含む。複数の第１電極部１は、方向ｘにおいて互いに離間している。
【０１３１】
各ダイパッド部１１は、ｘｙ平面に沿う板状である。ダイパッド部１１には半導体チップ４１が配置されている。図１５に示すように、ダイパッド部１１と半導体チップ４１との間には、接合層９９１が介在している。接合層９９１は、導電性材料よりなる。このような導電性材料は、たとえばハンダもしくは銀ペーストである。ハンダは熱伝導率が比較的大きい。接合層９９１としてハンダを用いると、半導体チップ４１からダイパッド部１１に熱を効率よく伝えることができる。複数のダイパッド部１１はいずれも、凹部底面７５１から露出している。
【０１３２】
各ダイパッド部１１は、ダイパッド主面１１１とダイパッド裏面１１２とを有する。ダイパッド主面１１１は方向ｚ１を向き、ダイパッド裏面１１２は方向ｚ２を向く。すなわちダイパッド主面１１１およびダイパッド裏面１１２は互いに反対側を向く。ダイパッド主面１１１には、半導体チップ４１が配置されている。ダイパッド主面１１１と半導体チップ４１との間には接合層９９１が介在している。ダイパッド裏面１１２は、凹部底面７５１に対し、ダイパッド部１１の厚さ方向（方向ｚ）において、同位置に位置している。ダイパッド裏面１１２は、凹部底面７５１よりも、凹部７５が開口する方向側に位置していてもよい。
【０１３３】
図１３に示すように、各接続部１２は、ダイパッド部１１とワイヤボンディング部１３との間に位置し且つダイパッド部１１とワイヤボンディング部１３とにつながる。図１２に示すように、接続部１２は、ｘｙ平面に傾斜する面に沿う形状である。接続部１２は、ダイパッド部１１から離間するにつれ方向ｚ１に向かうようにｘｙ平面に対し傾斜している。
【０１３４】
図１２、図１３に示す各ワイヤボンディング部１３はｘｙ平面に沿う形状である。各ワイヤボンディング部１３は、方向ｚにおいて、ダイパッド部１１よりも方向ｚ１側に位置する。一のワイヤボンディング部１３と一の半導体チップ４１とには、ワイヤ８がボンディングされている。これにより、一のワイヤボンディング部１３と一の半導体チップ４１とが導通している。リード１４は、ワイヤボンディング部１３につながる。各リード１４は方向ｙに沿って延びる。リード１４は、封止樹脂部７の樹脂側面７３から突出する部位を有する。本実施形態にてリード１４は挿入実装用のものである。図１２に示すように、半導体装置１０１Ｂの基板８０７への実装時において、リード１４は折れ曲げられ、孔８０９に挿入される。リード１４を基板８０７に固定するために、孔８０９にハンダ層８１０が充填されている。
【０１３５】
図１３に示すように、複数（本実施形態では３つ）の第２電極部２はそれぞれ、ワイヤボンディング部２３と、リード２４と、を含む。複数の第２電極部２は、方向ｘにおいて互いに離間している。
【０１３６】
各ワイヤボンディング部２３はｘｙ平面に沿う形状である。各ワイヤボンディング部２３は、方向ｚにおいて、ダイパッド部１１よりも方向ｚ１側に位置する。一のワイヤボンディング部２３と一の半導体チップ４１とには、ワイヤ８がボンディングされている。これにより、一のワイヤボンディング部２３と一の半導体チップ４１とが導通している。リード２４は、ワイヤボンディング部２３につながる。各リード２４は方向ｙに沿って延びる。リード２４は、封止樹脂部７の樹脂側面７３から突出する部位を有する。本実施形態にてリード２４は挿入実装用のものである。図示しないが、リード１４と同様に、半導体装置１０１Ｂの基板８０７への実装時においてリード２４は孔８０９に挿入される。
【０１３７】
図１２、図１３に示す第３電極部３は、複数の制御用ダイパッド部３１と、複数のリード３２とを含む。制御用ダイパッド部３１およびリード３２はいずれも、方向ｚにおいて同じ位置に配置されている。各制御用ダイパッド部３１には、半導体チップ４２もしくは受動部品チップ４３が配置されている。制御用ダイパッド部３１と半導体チップ４２との間、および、制御用ダイパッド部３１と受動部品チップ４３との間には、接合層（図示略）が介在している。制御用ダイパッド部３１の裏面は、放熱層６と対向していなくても良いし、露出していなくても良い。
【０１３８】
各リード３２は、封止樹脂部７の樹脂側面７３から突出する部位を有する。本実施形態にてリード３２は挿入実装用のものである。図１２に示すように、半導体装置１０１Ｂの基板８０７への実装時においてリード３２は孔８０９に挿入される。リード１４に関して述べたように、リード３２を基板８０７に固定するために、孔８０９にハンダ層８１０が充填されている。一のリード３２と一の半導体チップ４２とには、ワイヤ８がボンディングされている。これにより、一のリード３２と一の半導体チップ４２とが導通している。また、ワイヤ８は、一の半導体チップ４２と一の受動部品チップ４３とにもボンディングされている。
【０１３９】
放熱層６は、図１５に示すように、封止樹脂部７における凹部７５に配置されている。放熱層６は、凹部第１側面７５４および凹部第２側面７５５に囲まれている。本実施形態において、放熱層６は、ｘｙ平面に沿う板状である。本実施形態においては、放熱層６は、金属層６５および接合層６６からなる。金属層６５は、ｚ２方向側にあり、たとえば厚さが１０５μｍ程度のＣｕやアルミニウムやセラミックスからなる。金属層６５は、本発明でいう放熱副層の一例に相当する。接合層６６は、金属層６５に対してｚ１方向側にあり、金属層６５を複数のダイパッド部１１のダイパッド裏面１１２に接合する機能を果たす。接合層６６は、たとえば絶縁性の樹脂からなり、その厚さがたとえば２５０μｍ程度である。この樹脂は、半導体装置１０１Ｂの製造工程において、圧力および振動を加えられることにより軟化する材質である。接合層６６は、半導体チップ４１が搭載される複数のダイパッド部１１のいずれにも直接接している。金属層６５は、樹脂底面７２から若干突出している部位を有してもよい。図１６に示すように、接合層６６の一部は、凹部第２側面７５５によって囲まれた領域を埋めている。また、本実施形態においては、接合層６６の一部が凹部支持面７５６と金属層６５との間に介在している。
【０１４０】
放熱層６は、半導体チップ４１にて発生した熱を速やかに半導体装置１０１Ｂの外部に放出するために、設けられている。半導体チップ４１にて発生した熱を速やかに半導体装置１０１Ｂの外部に放出するには、放熱層６を構成する材料の熱伝導率は大きければ大きいほど良いが、封止樹脂部７と熱膨張係数が大きく異なると、金属層６５の剥離し易くなる等の問題を生じるおそれがある。好ましくは、放熱層６は、封止樹脂部７を構成する材料の熱伝導率よりも熱伝導率が大きく、熱膨張係数が封止樹脂部７に近い材料よりなる。放熱層６は、複数のダイパッド部１１のいずれにも正対している。図１４に示すように、放熱層６は、ｘｙ平面視（放熱層６の厚さ方向視）において、各ダイパッド部１１の全体に重なる。
【０１４１】
図１４、図１５に示すように、放熱層６は放熱層主面６１と放熱層裏面６２とを有する。放熱層主面６１は方向ｚ１を向く。放熱層主面６１は、ｘｙ平面視において、各ダイパッド部１１のダイパッド裏面１１２と、凹部底面７５１とに重なる。放熱層主面６１は、ダイパッド裏面１１２および凹部底面７５１に直接接する。放熱層裏面６２は放熱層主面６１の向く方向とは反対方向である方向ｚ２を向く。放熱層裏面６２は封止樹脂部７に覆われておらず、封止樹脂部７から露出している。
【０１４２】
次に、半導体装置１０１Ｂの製造方法について説明する。製造方法の説明にて用いる図では、上述と同一の構成については、同一の符号を付している。
【０１４３】
まず、図１７に示すように、複数のダイパッド部１１，３１を含むリードフレーム３００と、複数の半導体チップ４１，４２と、受動部品チップ４３とを用意する。次に、同図に示すように、接合層（図示略）を介して、各半導体チップ４１を複数のダイパッド部１１のいずれか一つに配置する。同様に、各半導体チップ４２および受動部品チップ４３を、接合層（図示略）を介して、複数の制御用ダイパッド部３１のいずれか一つに配置する。次に、同図に示すように、ワイヤ８を各半導体チップ４１，４２等にボンディングする。
【０１４４】
次に、図１８、図１９に示すように、封止樹脂部７を形成する。図１８に示すように、封止樹脂部７は、金型８８１を用いたモールド成型により形成する。同図に示すように、金型８８１で複数のダイパッド部１１などを押さえつける。次に、金型８８１内に樹脂材を注入し、当該樹脂材を硬化させる。当該樹脂材が硬化すると、図１９に示すように、金型８８１を複数のダイパッド部１１などから取り外す。これにより、封止樹脂部７を形成できる。封止樹脂部７を形成する工程においては、複数のダイパッド部１１を露出させる凹部７５を封止樹脂部７に形成する。
【０１４５】
次に、図２０に示すように、封止樹脂部７の凹部７５に放熱層６をはめ込む。そして、放熱層６に圧力および振動を加える。さらに、放熱層６を加熱してもよい。これらの加圧、加振、加熱により、放熱層６の接合層６６が軟化する。軟化した接合層６６は、凹部７５内を移動し、その一部が凹部第２側面７５５に囲まれた領域に充填される。また接合層６６の一部が、凹部支持面７５６と金属層６５との間に入り込む。
【０１４６】
次に、図１７に示したリードフレーム３００を適宜切断することにより、図１３等に示した半導体装置１０１Ｂが製造される。
【０１４７】
次に、本実施形態の作用効果について説明する。
【０１４８】
半導体装置１０１Ｂにおいては、凹部支持面７５６によって金属層６５が少なくとも間接的に支持されることとなる。このため、金属層６５が樹脂底面７２に対して不当に傾いてしまったり、凹んでしまうことを防止することが可能である。したがって、接合層６６が金属層６５よりも外側にあふれ出すことによって金属層６５と放熱部材８０８との間に隙間が生じることを抑制可能であり、半導体チップ４１，４２からの放熱を高め、且つ、金属層６５の剥離を生じ難くすることができる。
【０１４９】
金属層６５と凹部支持面７５６との間に接合層６６を介在させることにより、金属層６５を封止樹脂部７に対して確実に固定することができる。金属層６５の端部に接合層６６がいきわたっていないと、その部分から金属層６５の剥離が伝播するおそれがある。本実施形態においては、そのようなおそれは少ない。
【０１５０】
図２１および図２２は、本発明の第２Ｂ実施形態に基づく半導体装置を示している。なお、これらの図において、上記実施形態と同一または類似の要素には、上記実施形態と同一の符号を付している。本実施形態の半導体装置１０２Ｂにおいては、凹部７５の構成が上述した半導体装置１０１Ｂと異なっている。
【０１５１】
本実施形態においては、凹部７５は、複数ずつの凹部第１側面７５４、凹部第２側面７５５、および凹部支持面７５６を有しており、さらに複数ずつの凹部側面７５２および凹部溝７５３を有している。図２１に示すように、複数の凹部溝７５３と複数ずつの凹部第１側面７５４、凹部第２側面７５５、および凹部支持面７５６とは、凹部７５の外縁に沿って交互に配置されている。凹部７５の四隅に相当する部分には、凹部第１側面７５４、凹部第２側面７５５、および凹部支持面７５６が配置されている。
【０１５２】
図２２に示すように、凹部溝７５３は、凹部底面７５１と凹部側面７５２との間に位置しており、本実施形態においては、凹部７５のｚ方向視外縁に沿って矩形環状に配置されている。図２２、に示すように、凹部溝７５３は、凹部底面７５１からｚ１方向に凹んでいる。本実施形態においては、凹部溝７５３は、凹部底面７５１からｘ方向において離間するほどｚ１方向に位置するように傾斜している。凹部溝７５３の最深部の深さは、たとえば５０μｍ程度である。
【０１５３】
本実施形態においては、接合層６６の一部は、凹部溝７５３を埋めている。また、接合層６６は、凹部側面７５２に接している。
【０１５４】
半導体装置１０２Ｂにおいては、半導体装置１０１Ｂによって奏される効果に加えて、接合層６６の一部が凹部溝７５３を埋めている。この埋めている分だけ、半導体装置１０１Ｂの製造工程において、凹部７５から接合層６６があふれることを抑制することができる。したがって、放熱層６に対し密着させるように取り付けられる放熱部材８０８との間に隙間が生じることを阻止可能であり、半導体チップ４１，４２からの熱を効率よく放熱することができる。
【０１５５】
凹部溝７５３を金属層６５の外側に配置することにより、金属層６５と凹部溝７５３との間に意図しない空隙が生じることを防止することができる。空隙を排除することは、放熱をより高めるのに適している。
【０１５６】
凹部溝７５３をテーパ形状とすることにより、金属層６５のｘ方向またはｙ方向位置が万が一ずれても、ｚ方向視において金属層６５と重なる凹部溝７５３の容積を縮小することが可能である。これは、上述した空隙の排除に好ましい。
【０１５７】
本発明は、上述した実施形態に限定されるものではない。本発明の各部の具体的な構成は、種々に設計変更自在である。例えば、封止樹脂の裏面から金属層が露出している半導体装置で有れば、挿入実装ではなく、表面実装用の端子の場合も同様に使用できる。また、上述したＩＰＭ装置だけでなく、半導体チップとアイランドとがそれぞれ１つしかなく、封止樹脂の裏面から金属層が露出している駆動素子を封止する半導体装置にも適用できる。
【０１５８】
〔付記１〕
互いに反対方向を向く主面および裏面を有するダイパッド部と、
上記ダイパッド部の上記主面に搭載された半導体チップと、
樹脂底面から凹んでいるとともに上記ダイパッド部の上記裏面を露出させる凹部が形成され、且つ、上記ダイパッド部および上記半導体チップを覆う封止樹脂部と、
上記凹部に配置された放熱層と、を備え、
上記凹部は、上記裏面が広がる方向において上記ダイパッド部よりも外側に位置し、上記樹脂底面に繋がる第１側面、上記第１側面に繋がり、上記裏面が向く方向を向く支持面、上記支持面に繋がり、上記裏面が広がる方向において上記ダイパッド部と上記第１側面との間に位置する第２側面、を有しており、
上記放熱層は、上記裏面が広がる方向において少なくとも一部が上記第１側面と上記第２側面との間に位置する外縁を有し、上記ダイパッド部の厚さ方向において上記第１側面と重なる放熱層、および上記放熱層と上記ダイパッド部との間に介在する接合層、を有することを特徴とする、半導体装置。
〔付記２〕
上記放熱層は、金属からなる、付記１に記載の半導体装置。
〔付記３〕
上記金属は、Ｃｕである、付記２に記載の半導体装置。
〔付記４〕
上記接合層は、樹脂からなる、付記２または３に記載の半導体装置。
〔付記５〕
上記支持面と上記放熱層との間に、上記接合層の一部が介在する、付記４に記載の半導体装置。
〔付記６〕
上記凹部は、上記裏面が広がる方向において上記ダイパッド部よりも外側に位置し、且つ、上記裏面よりも上記主面側に位置する部分を有する溝を有しており、
上記接合層は、一部が上記溝に充填されている、付記１ないし５のいずれかに記載の半導体装置。
〔付記７〕
上記放熱層の一部は、その厚さ方向において上記凹部から突出している、付記６に記載の半導体装置。
〔付記８〕
上記溝は、上記裏面が広がる方向において上記放熱層に対して外側に位置する、付記６または７に記載の半導体装置。
〔付記９〕
上記凹部は、上記放熱層と上記溝との間に位置する部分を有する凹部底面を有する、付記８に記載の半導体装置。
〔付記１０〕
上記溝は、上記裏面が広がる方向において上記ダイパッド部から離間するほど、上記ダイパッド部の厚さ方向において上記裏面側から上記主面側に位置するように傾斜している、付記６ないし９のいずれかに記載の半導体装置。
〔付記１１〕
互いに反対方向を向く主面および裏面を有する複数のダイパッド部と、
上記複数のダイパッド部の上記主面に各別に搭載された複数の半導体チップと、
樹脂底面から凹んでいるとともに上記ダイパッド部の内の少なくとも一部の上記各裏面を共通に露出させる凹部が形成され、且つ、上記各ダイパッド部および上記各半導体チップを共通に覆う封止樹脂部と、
上記凹部に配置された放熱層と、を備え、
上記凹部は、上記裏面側において上記各ダイパッド部よりも外側に位置し、上記樹脂底面に繋がる第１側面、上記第１側面に繋がり、上記裏面が向く方向を向く支持面、上記支持面に繋がり、上記裏面が広がる方向において上記ダイパッド部と上記第１側面との間に位置する第２側面、を有しており、
上記放熱層は、上記裏面が広がる方向において少なくとも一部が上記第１側面と上記第２側面との間に位置する外縁を有し、上記ダイパッド部の厚さ方向において上記第１側面と重なる放熱層、および上記放熱層と上記各ダイパッド部との間に介在する接合層、を有することを特徴とする、半導体装置。
【０１５９】
図２３は、本発明の第１Ｃ実施形態に基づく半導体装置が用いられた実装構造を示す断面図である。
【０１６０】
図２３に示す半導体装置の実装構造８０１は、半導体装置１０１Ｃと、基板８０７と、放熱部材８０８とを備える。
【０１６１】
基板８０７は、複数の電子部品が実装されるものである。基板８０７は絶縁性の材料よりなる。基板８０７には図示しない配線パターンが形成されている。基板８０７には、複数の孔８０９が形成されている。放熱部材８０８は、熱伝導率の比較的大きな材料、たとえば、アルミニウムなどの金属よりなる。放熱部材８０８は、図示しない支持部材によって基板８０７に対し固定されている。半導体装置１０１Ｃは、基板８０７に実装されている。本実施形態において半導体装置１０１Ｃは、ＩＰＭ（Ｉｎｔｅｌｌｉｇｅｎｔ  Ｐｏｗｅｒ  Ｍｏｄｕｌｅ）と称される製品である。半導体装置１０１Ｃは、たとえば、エアーコンディショナーやモータ制御機器などの電源制御等の用途に用いられる。
【０１６２】
図２４は、本発明の第１Ｃ実施形態に基づく半導体装置のリードを折り曲げる前の平面図（一部構成省略）である。図２５は、本発明の第１Ｃ実施形態に基づく半導体装置のリードを折り曲げる前の底面図である。図２６は、図２４のＩＩＶＩ−ＩＩＶＩ線に沿う断面図である。図２７は、図２６の要部拡大断面図である。なお、図２３は、図２４のＸＸＩＩＩ−ＸＸＩＩＩ線に沿う断面に相当する。図２６においては理解の便宜上、各構成を模式化して示している。
【０１６３】
これらの図に示す半導体装置１０１Ｃは、複数の第１電極部１、第２電極部２、および、第３電極部３と、複数の半導体チップ４１，４２と、受動部品チップ４３と、放熱層６と、封止樹脂部７と、ワイヤ８と、を備える。図２４においては、放熱層６を点線で示し、封止樹脂部７を仮想線で示している。
【０１６４】
封止樹脂部７は、複数の第１電極部１、第２電極部２、および、第３電極部３と、半導体チップ４１，４２と、受動部品チップ４３と、を覆っている。封止樹脂部７は、たとえば、黒色のエポキシ樹脂よりなる。図２５、図２６に示すように、封止樹脂部７は、樹脂主面７１と、樹脂底面７２と、樹脂側面７３と、を有する。
【０１６５】
樹脂主面７１は、方向ｚ１を向き、且つ、ｘｙ平面に沿う平坦な面である。樹脂底面７２は、方向ｚ１とは反対側の方向ｚ２を向き、且つ、ｘｙ平面に沿う平坦な面である。樹脂側面７３は、ｘｙ平面視において半導体チップ４１，４２および受動部品チップ４３を囲む形状である。樹脂側面７３は、樹脂主面７１と樹脂底面７２とにつながる。
【０１６６】
図２６によく表れているように、封止樹脂部７には凹部７５が形成されている。凹部７５は樹脂底面７２から凹む。凹部７５は、凹部底面７５１を有する。凹部底面７５１はｘｙ平面に沿う形状である。
【０１６７】
図２４に示すように、半導体チップ４１，４２および受動部品チップ４３は平面視矩形状を呈する。半導体チップ４１は、たとえば、ＩＧＢＴ，ＭＯＳ，ダイオードなどのパワーチップである。半導体チップ４２は、コントロールＩＣなどのＬＳＩチップである。受動部品チップ４３は、たとえば、抵抗もしくはコンデンサなどの受動部品である。
【０１６８】
図２４〜４に示す第１電極部１、第２電極部２、および、第３電極部３は、いずれも導電性材料よりなる。このような導電性材料としては、たとえば銅が挙げられる。なお、図２４の右下に記載の電極部はグランド接続される。
【０１６９】
複数（本実施形態では４つ）の第１電極部１はそれぞれ、ダイパッド部１１（図２３、図２４、図２６参照）と、接続部１２（図２３、図２４参照）と、ワイヤボンディング部１３（図２３、図２４参照）と、リード１４（図２３〜図２５参照）と、を含む。複数の第１電極部１は、方向ｘにおいて互いに離間している。
【０１７０】
各ダイパッド部１１は、ｘｙ平面に沿う板状である。ダイパッド部１１には半導体チップ４１が配置されている。図２６に示すように、ダイパッド部１１と半導体チップ４１との間には、接合層９９１が介在している。接合層９９１は、導電性材料よりなる。このような導電性材料は、たとえばハンダもしくは銀ペーストである。ハンダは熱伝導率が比較的大きい。接合層９９１としてハンダを用いると、半導体チップ４１からダイパッド部１１に熱を効率よく伝えることができる。複数のダイパッド部１１はいずれも、凹部底面７５１から露出している。
【０１７１】
各ダイパッド部１１は、ダイパッド主面１１１とダイパッド裏面１１２とを有する。ダイパッド主面１１１は方向ｚ１を向き、ダイパッド裏面１１２は方向ｚ２を向く。すなわちダイパッド主面１１１およびダイパッド裏面１１２は互いに反対側を向く。ダイパッド主面１１１には、半導体チップ４１が配置されている。ダイパッド主面１１１と半導体チップ４１との間には接合層９９１が介在している。ダイパッド裏面１１２は、凹部底面７５１に対し、ダイパッド部１１の厚さ方向（方向ｚ）において、同位置に位置している。ダイパッド裏面１１２は、凹部底面７５１よりも、凹部７５が開口する方向側に位置していてもよい。
【０１７２】
図２４に示すように、各接続部１２は、ダイパッド部１１とワイヤボンディング部１３との間に位置し且つダイパッド部１１とワイヤボンディング部１３とにつながる。図２３に示すように、接続部１２は、ｘｙ平面に傾斜する面に沿う形状である。接続部１２は、ダイパッド部１１から離間するにつれ方向ｚ１に向かうようにｘｙ平面に対し傾斜している。
【０１７３】
図２３、図２４に示す各ワイヤボンディング部１３はｘｙ平面に沿う形状である。各ワイヤボンディング部１３は、方向ｚにおいて、ダイパッド部１１よりも方向ｚ１側に位置する。一のワイヤボンディング部１３と一の半導体チップ４１とには、ワイヤ８がボンディングされている。これにより、一のワイヤボンディング部１３と一の半導体チップ４１とが導通している。リード１４は、ワイヤボンディング部１３につながる。各リード１４は方向ｙに沿って延びる。リード１４は、封止樹脂部７の樹脂側面７３から突出する部位を有する。本実施形態にてリード１４は挿入実装用のものである。図２３に示すように、半導体装置１０１Ｃの基板８０７への実装時において、リード１４は折れ曲げられ、孔８０９に挿入される。リード１４を基板８０７に固定するために、孔８０９にハンダ層８１０が充填されている。
【０１７４】
図２４に示すように、複数（本実施形態では３つ）の第２電極部２はそれぞれ、ワイヤボンディング部２３と、リード２４と、を含む。複数の第２電極部２は、方向ｘにおいて互いに離間している。
【０１７５】
各ワイヤボンディング部２３はｘｙ平面に沿う形状である。各ワイヤボンディング部２３は、方向ｚにおいて、ダイパッド部１１よりも方向ｚ１側に位置する。一のワイヤボンディング部２３と一の半導体チップ４１とには、ワイヤ８がボンディングされている。これにより、一のワイヤボンディング部２３と一の半導体チップ４１とが導通している。リード２４は、ワイヤボンディング部２３につながる。各リード２４は方向ｙに沿って延びる。リード２４は、封止樹脂部７の樹脂側面７３から突出する部位を有する。本実施形態にてリード２４は挿入実装用のものである。図示しないが、リード１４と同様に、半導体装置１０１Ｃの基板８０７への実装時においてリード２４は孔８０９に挿入される。
【０１７６】
図２３、図２４に示す第３電極部３は、複数の制御用ダイパッド部３１と、複数のリード３２とを含む。制御用ダイパッド部３１およびリード３２はいずれも、方向ｚにおいて同じ位置に配置されている。各制御用ダイパッド部３１には、半導体チップ４２もしくは受動部品チップ４３が配置されている。制御用ダイパッド部３１と半導体チップ４２との間、および、制御用ダイパッド部３１と受動部品チップ４３との間には、接合層（図示略）が介在している。制御用ダイパッド部３１の裏面は、放熱層６と対向していなくても良いし、露出していなくても良い。
【０１７７】
各リード３２は、封止樹脂部７の樹脂側面７３から突出する部位を有する。本実施形態にてリード３２は挿入実装用のものである。図２３に示すように、半導体装置１０１Ｃの基板８０７への実装時においてリード３２は孔８０９に挿入される。リード１４に関して述べたように、リード３２を基板８０７に固定するために、孔８０９にハンダ層８１０が充填されている。一のリード３２と一の半導体チップ４２とには、ワイヤ８がボンディングされている。これにより、一のリード３２と一の半導体チップ４２とが導通している。また、ワイヤ８は、一の半導体チップ４２と一の受動部品チップ４３とにもボンディングされている。なお、制御用の半導体チップ４２や受動部品チップ４３に繋がるワイヤは、ワイヤ８よりも細く柔らかいアルミニウムや金の細線を用いることが多い。
【０１７８】
放熱層６は、図２６に示すように、封止樹脂部７における凹部７５に配置されている。本実施形態において、放熱層６は、ｘｙ平面に沿う板状である。本実施形態においては、放熱層６は、セラミックスやＣｕやアルミニウムからなる。放熱層６は、放熱層主面６１、放熱層裏面６２、第１側面６３１、中間面６３２、および第２側面６３３を有する。
【０１７９】
放熱層主面６１は方向ｚ１を向く。放熱層主面６１は、ｘｙ平面視において、各ダイパッド部１１のダイパッド裏面１１２と、凹部底面７５１とに重なる。放熱層裏面６２は放熱層主面６１の向く方向とは反対方向である方向ｚ２を向く。放熱層裏面６２は封止樹脂部７に覆われておらず、封止樹脂部７から露出している。放熱層６の放熱層主面６１は、複数のダイパッド部１１のダイパッド裏面１１２に対して接合層６９によって接合されている。接合層６９は、たとえば樹脂からなる。
【０１８０】
図２６および図２７に示すように、第１側面６３１は、放熱層裏面６２に繋がっており、おおむねｚ方向に沿っている。第１側面６３１は、ｚ方向視においてダイパッド部１１の外側に位置している。第２側面６３３は、放熱層主面６１に繋がっており、おおむねｚ方向に沿っている。第２側面６３３は、ｚ方向視においてダイパッド部１１と第１側面６３１との間に位置している。中間面６３２は、第１側面６３１と第２側面６３３とを繋いでおり、おおむねｚ２方向を向いている。本願が意図する効果を奏するには、第１側面６３１のｚ方向寸法が第２側面６３３のｚ方向寸法よりも大であることが好ましい。
【０１８１】
第１側面６３１、中間面６３２、および第２側面６３３は、いずれも封止樹脂部７に接している。また、放熱層裏面６２は、封止樹脂部７の樹脂底面７２と面一とされている。また、図２７に示すように、第１側面６３１と中間面６３２とは、第１角部６３４を構成している。中間面６３２と第２側面６３３とは、第２角部６４５を構成している。本実施形態においては、第１角部６３４および第２角部６４５は、いずれも直角であるが、面取りされていても構わない。
【０１８２】
放熱層６は、半導体チップ４１にて発生した熱を速やかに半導体装置１０１Ｃの外部に放出するために、設けられている。そのためには、放熱層６を構成する材料の熱伝導率は大きければ大きいほど良いが、封止樹脂部７と熱膨張係数が大きく異なると、放熱層６の剥離し易くなる等の問題を生じるおそれがある。好ましくは、放熱層６は、封止樹脂部７を構成する材料の熱伝導率よりも熱伝導率が大きく、熱膨張係数が封止樹脂部７に近い材料よりなる。放熱層６は、複数のダイパッド部１１のいずれにも正対している。図２５に示すように、放熱層６は、ｘｙ平面視（放熱層６の厚さ方向視）において、各ダイパッド部１１の全体に重なる。
【０１８３】
次に、半導体装置１０１Ｃの製造方法について説明する。製造方法の説明にて用いる図では、上述と同一の構成については、同一の符号を付している。
【０１８４】
まず、図２８に示すように、複数のダイパッド部１１，３１を含むリードフレーム３００と、複数の半導体チップ４１，４２と、受動部品チップ４３とを用意する。次に、同図に示すように、接合層（図示略）を介して、各半導体チップ４１を複数のダイパッド部１１のいずれか一つに配置する。同様に、各半導体チップ４２および受動部品チップ４３を、接合層（図示略）を介して、複数の制御用ダイパッド部３１のいずれか一つに配置する。次に、同図に示すように、ワイヤ８を各半導体チップ４１，４２等にボンディングする。
【０１８５】
次に、図２９に示すように、封止樹脂部７を形成する。この封止樹脂部７の形成に先立ち、複数のダイパッド部１１に放熱層６を接合層６９によって接合しておく。放熱層６の形成は、たとえばセラミックスからなる板状材料に対して比較的幅が広いブレードを用いて溝を形成する。次いで、比較的幅が狭いブレードを用いて上記溝の中央を分断するように、上記板状材料を切断する。これにより、第１側面６３１、中間面６３２、および第２側面６３３を有する放熱層６を形成することができる。
【０１８６】
封止樹脂部７は、金型８８１を用いたモールド成型により形成する。図２９に示すように、金型８８１で放熱層６などを押さえつける。次に、金型８８１内に樹脂材を注入し、当該樹脂材を硬化させる。当該樹脂材が硬化すると、封止樹脂部７が得られる。
【０１８７】
次に、図２８に示したリードフレーム３００を適宜切断することにより、図２４等に示した半導体装置１０１Ｃが製造される。
【０１８８】
次に、本実施形態の作用効果について説明する。
【０１８９】
半導体装置１０１Ｃにおいては、放熱層６と樹脂底面７２との間に剥離が生じても、その剥離の進行が第１側面６３１内でとどまり、中間面６３２以降には進展しにくい。このため、剥離の発生後においても、少なくも第２側面６３３が放熱層６と封止樹脂部７との接合に寄与しうる。したがって、放熱層６と封止樹脂部７との間に放熱層主面６１に至るような過大な隙間が生じてしまうことを抑制することができる。
【０１９０】
直角に形成された第１角部６３４は、剥離の進展を阻止するのに適している。さらに、第１角部６３４の奥方に直角に形成された第２角部６４５を設けることにより、剥離の進展をより確実に阻止することができる。
【０１９１】
第１側面６３１のｚ方向寸法（深さ）を第２側面６３３のｚ方向寸法（深さ）よりも大としておくことは、剥離が中間面６３２に到達しにくくすることに寄与し、剥離の進展防止に有利である。
【０１９２】
図３０および図３１は、本発明の第２Ｃ実施形態に基づく半導体装置を示している。なお、これらの図において、上記実施形態と同一または類似の要素には、上記実施形態と同一の符号を付している。本実施形態の半導体装置１０２Ｃにおいては、放熱層６の構成が上述した半導体装置１０１Ｃと異なっている。
【０１９３】
本実施形態においては、放熱層６は、複数の溝６１１を有している。複数の溝６１１は、放熱層主面６１に形成されている。複数の溝６１１は、ｙ方向に沿って延びており、互いに等ピッチで配置されている。各溝６１１は、断面矩形状である。複数の溝６１１のいずれかには、接合層６９の一部が入り込んでいる。また、複数の溝６１１のいずれかには、封止樹脂部７の一部が入り込んでいる。
【０１９４】
複数の溝６１１は、上述した放熱層６の形成工程において形成される。たとえば、上記板状材料を切断する前に、複数の平行なブレードやレーザを用いて、上記板状材料に複数の平行な溝を形成する。これらの溝が、放熱層６の複数の溝６１１となる。
【０１９５】
半導体装置１０２Ｃにおいては、半導体装置１０１Ｃによって奏される効果を奏し得る。また、複数の溝６１１が形成されていることにより、溝６１１に接合層６９の一部や封止樹脂部７の一部が入り込む格好となっている。これは、放熱層６と接合層６９との接合強度や放熱層６と封止樹脂部７との接合強度を高める、いわゆるアンカー効果が期待できる。溝６１１の断面形状を矩形状とすることは、アンカー効果を高めるのに適している。
【０１９６】
本発明は、上述した実施形態に限定されるものではない。本発明の各部の具体的な構成は、種々に設計変更自在である。例えば、封止樹脂の裏面から放熱層が露出している半導体装置で有れば、挿入実装ではなく、表面実装用の端子の場合も同様に使用できる。また、上述したＩＰＭ装置だけでなく、半導体チップとアイランドとがそれぞれ１つしかなく、封止樹脂の裏面から放熱層が露出している駆動素子を封止する半導体装置にも適用できる。
【０１９７】
〔付記１〕
互いに反対方向を向くダイパッド主面およびダイパッド裏面を有するダイパッド部と、
上記ダイパッド主面に搭載された半導体チップと、
底面から凹んでいるとともに上記ダイパッド裏面を露出させる凹部が形成され、且つ、上記ダイパッド部および上記半導体チップを覆う封止樹脂部と、
上記凹部に配置され、上記ダイパッド裏面に対面する放熱層主面およびこの放熱層主面とは反対側にある放熱層裏面を有し、且つ、上記ダイパッド部に接合された放熱層と、を備え、
上記放熱層は、上記ダイパッド裏面が広がる方向において上記ダイパッド部よりも外側に位置し、上記放熱層裏面に繋がる第１側面、上記第１側面に繋がり、上記放熱層主面が向く方向を向く中間面、上記中間面に繋がり、上記ダイパッド裏面が広がる方向において上記ダイパッド部と上記第１側面との間に位置する第２側面、を有することを特徴とする、半導体装置。
〔付記２〕
上記放熱層は、セラミックスからなる、付記１に記載の半導体装置。
〔付記３〕
上記第１側面、上記中間面、および上記第２側面は、上記封止樹脂部に接している、付記１または２に記載の半導体装置。
〔付記４〕
上記放熱層の上記放熱層裏面は、上記封止樹脂部の上記底面と面一とされている、付記３に記載の半導体装置。
〔付記５〕
上記第１側面と上記中間面とは、第１角部を形成している、付記１ないし４のいずれかに記載の半導体装置。
〔付記６〕
上記中間面と上記第２側面とは、第２角部を形成している、付記１ないし５のいずれかに記載の半導体装置。
〔付記７〕
上記第１角部および第２角部の少なくともいずれかは、直角である、付記６に記載の半導体装置。
〔付記８〕
上記第１側面の上記放熱層の厚さ方向寸法は、上記第２側面の上記放熱層の厚さ方向寸法よりも大である、付記１ないし７のいずれかに記載の半導体装置。
〔付記９〕
上記放熱層と上記ダイパッド部とは、接合層を介して接合されている、１ないし８のいずれかに記載の半導体装置。
〔付記１０〕
上記放熱層の上記放熱層主面には、上記放熱層の厚さ方向に対して直角である方向に延びる複数の溝が形成されている、付記９に記載の半導体装置。
〔付記１１〕
上記各溝は、断面矩形状である、付記１０に記載の半導体装置。
〔付記１２〕
上記複数の溝のいずれかは、上記接合層に接している、付記１０または１１に記載の半導体装置。
〔付記１３〕
上記複数の溝のいずれかは、上記封止樹脂部に接している、付記１０ないし１２のいずれかに記載の半導体装置。
〔付記１４〕
互いに反対方向を向くダイパッド主面およびダイパッド裏面を有する複数のダイパッド部と、
上記複数のダイパッド主面に各別に搭載された複数の半導体チップと、
底面から凹んでいるとともに上記各ダイパッド裏面を共通に露出させる凹部が形成され、且つ、上記各ダイパッド部および上記各半導体チップを共通に覆う封止樹脂部と、
上記凹部に配置され、上記ダイパッド裏面に対面する放熱層主面およびこの放熱層主面とは反対側にある放熱層裏面を有し、且つ、上記各ダイパッド部に共通に接合された放熱層と、を備え、
上記放熱層は、上記ダイパッド裏面が広がる方向において上記各ダイパッド部よりも外側に位置し、上記放熱層裏面に繋がる第１側面、上記第１側面に繋がり、上記放熱層主面が向く方向を向く中間面、上記中間面に繋がり、上記ダイパッド裏面が広がる方向において上記ダイパッド部と上記第１側面との間に位置する第２側面、を有することを特徴とする、半導体装置。
【０１９８】
図３２は、本発明の第１Ｄ実施形態に基づく半導体装置が用いられた実装構造を示す断面図である。
【０１９９】
図３２に示す半導体装置の実装構造８０１は、半導体装置１０１Ｄと、基板８０７と、放熱部材８０８とを備える。
【０２００】
基板８０７は、複数の電子部品が実装されるものである。基板８０７は絶縁性の材料よりなる。基板８０７には図示しない配線パターンが形成されている。基板８０７には、複数の孔８０９が形成されている。放熱部材８０８は、熱伝導率の比較的大きな材料、たとえば、アルミニウムなどの金属よりなる。放熱部材８０８は、図示しない支持部材によって基板８０７に対し固定されている。半導体装置１０１Ｄは、基板８０７に実装されている。本実施形態において半導体装置１０１Ｄは、ＩＰＭ（Ｉｎｔｅｌｌｉｇｅｎｔ  Ｐｏｗｅｒ  Ｍｏｄｕｌｅ）と称される製品である。半導体装置１０１Ｄは、たとえば、エアーコンディショナーやモータ制御機器などの電源制御等の用途に用いられる。
【０２０１】
図３３および図３４は、本発明の第１Ｄ実施形態に基づく半導体装置のリードを折り曲げる前の平面図（一部構成省略）である。図３５は、本発明の第１Ｄ実施形態に基づく半導体装置のリードを折り曲げる前の底面図である。図３６は、図３３のＸＸＸＶＩ−ＸＸＸＶＩ線に沿う断面図である。なお、図３２は、図３３のＸＸＸＩＩ−ＸＸＸＩＩ線に沿う断面に相当する。図３６においては理解の便宜上、各構成を模式化して示している。
【０２０２】
これらの図に示す半導体装置１０１Ｄは、複数の第１電極部１、第２電極部２、および、第３電極部３と、複数の半導体チップ４１，４２と、受動部品チップ４３と、放熱層６と、封止樹脂部７と、ワイヤ８と、を備える。図３３においては、放熱層６を点線で示し、封止樹脂部７を仮想線で示している。
【０２０３】
封止樹脂部７は、複数の第１電極部１、第２電極部２、および、第３電極部３と、半導体チップ４１，４２と、受動部品チップ４３と、を覆っている。封止樹脂部７は、たとえば、黒色のエポキシ樹脂よりなる。図３５、図３６に示すように、封止樹脂部７は、樹脂主面７１と、樹脂底面７２と、樹脂側面７３と、を有する。
【０２０４】
樹脂主面７１は、方向ｚ１を向き、且つ、ｘｙ平面に沿う平坦な面である。樹脂底面７２は、方向ｚ１とは反対側の方向ｚ２を向き、且つ、ｘｙ平面に沿う平坦な面である。樹脂側面７３は、ｘｙ平面視において半導体チップ４１，４２および受動部品チップ４３を囲む形状である。樹脂側面７３は、樹脂主面７１と樹脂底面７２とにつながる。
【０２０５】
図３６によく表れているように、封止樹脂部７には凹部７５が形成されている。凹部７５は樹脂底面７２から凹む。凹部７５は、凹部底面７５１、凹部側面７５２を有する。凹部底面７５１はｘｙ平面に沿う形状である。凹部側面７５２は、樹脂底面７２につながる。凹部側面７５２は、おおむね方向ｚに沿っている。
【０２０６】
図３３に示すように、半導体チップ４１，４２および受動部品チップ４３は平面視矩形状を呈する。半導体チップ４１は、たとえば、ＩＧＢＴ，ＭＯＳ，ダイオードなどのパワーチップ、あるいは出力トランジスタである。半導体チップ４２は、コントロールＩＣなどのＬＳＩチップであり、あるいは、半導体チップ４１を制御する。受動部品チップ４３は、たとえば、抵抗もしくはコンデンサなどの受動部品である。半導体チップ４１は、電極４１１を有する。また、半導体チップ４２も電極４１１と同様の電極を有しており、その説明は、以下の電極４１１についての説明と同様である。
【０２０７】
図３３〜４に示す第１電極部１、第２電極部２、および、第３電極部３は、いずれも導電性材料よりなる。このような導電性材料としては、たとえば銅が挙げられる。なお、図３３の右下に記載の電極部はグランド接続される。
【０２０８】
複数（本実施形態では４つ）の第１電極部１はそれぞれ、ダイパッド部１１（図３２〜図３４、図３６参照）と、接続部１２（図３２〜図３４参照）と、ワイヤボンディング部１３（図３２〜図３４参照）と、リード１４（図３２〜図３５参照）と、を含む。複数の第１電極部１は、方向ｘにおいて互いに離間している。
【０２０９】
各ダイパッド部１１は、ｘｙ平面に沿う板状である。ダイパッド部１１には半導体チップ４１が配置されている。図３６に示すように、ダイパッド部１１と半導体チップ４１との間には、接合層９９１が介在している。接合層９９１は、導電性材料よりなる。このような導電性材料は、たとえばハンダもしくは銀ペーストである。ハンダは熱伝導率が比較的大きい。接合層９９１としてハンダを用いると、半導体チップ４１からダイパッド部１１に熱を効率よく伝えることができる。複数のダイパッド部１１はいずれも、凹部底面７５１から露出している。
【０２１０】
各ダイパッド部１１は、ダイパッド主面１１１とダイパッド裏面１１２とを有する。ダイパッド主面１１１は方向ｚ１を向き、ダイパッド裏面１１２は方向ｚ２を向く。すなわちダイパッド主面１１１およびダイパッド裏面１１２は互いに反対側を向く。ダイパッド主面１１１には、半導体チップ４１が配置されている。ダイパッド主面１１１と半導体チップ４１との間には接合層９９１が介在している。ダイパッド裏面１１２は、凹部底面７５１に対し、ダイパッド部１１の厚さ方向（方向ｚ）において、同位置に位置している。ダイパッド裏面１１２は、凹部底面７５１よりも、凹部７５が開口する方向側に位置していてもよい。
【０２１１】
図３３に示すように、各接続部１２は、ダイパッド部１１とワイヤボンディング部１３との間に位置し且つダイパッド部１１とワイヤボンディング部１３とにつながる。図３２に示すように、接続部１２は、ｘｙ平面に傾斜する面に沿う形状である。接続部１２は、ダイパッド部１１から離間するにつれ方向ｚ１に向かうようにｘｙ平面に対し傾斜している。
【０２１２】
図３２〜図３４に示す各ワイヤボンディング部１３はｘｙ平面に沿う形状である。各ワイヤボンディング部１３は、方向ｚにおいて、ダイパッド部１１よりも方向ｚ１側に位置する。一のワイヤボンディング部１３と一の半導体チップ４１とには、ワイヤ８がボンディングされている。これにより、一のワイヤボンディング部１３と一の半導体チップ４１とが導通している。リード１４は、ワイヤボンディング部１３につながる。各リード１４は方向ｙに沿って延びる。リード１４は、封止樹脂部７の樹脂側面７３から突出する部位を有する。本実施形態にてリード１４は挿入実装用のものである。図３２に示すように、半導体装置１０１Ｄの基板８０７への実装時において、リード１４は折れ曲げられ、孔８０９に挿入される。リード１４を基板８０７に固定するために、孔８０９にハンダ層８１０が充填されている。半導体チップ４１とワイヤボンディング部１３とに接続されたワイヤ８は、アルミニウムからなる。
【０２１３】
図３４に示すように、ダイパッド部１１には、１対の押さえ痕１１３が形成されている。１対の押さえ痕１１３は、後述するワイヤ８のボンディング工程において形成される。押さえ痕１１３は、ダイパッド部１１のダイパッド主面１１１からわずかに凹む傷状の形態を呈する。本実施形態において、１対の押さえ痕１１３は、ｘ方向に互いに離間しており、半導体チップ４１を挟んでいる。半導体チップ４１に形成された３つの電極４１１は、ｘ方向に並んでおり、１対の押さえ痕１１３の間に配置されている。各電極４１１にボンディングされたワイヤ８のファーストボンディング部８１は、１対の押さえ痕１１３を結ぶ直線と交差している。
【０２１４】
ワイヤボンディング部１３には、１対の押さえ痕１３１が形成されている。１対の押さえ痕１３１は、後述するワイヤ８のボンディング工程において形成される。押さえ痕１３１は、ワイヤボンディング部１３の表面からわずかに凹む傷状の形態を呈する。本実施形態において、１対の押さえ痕１３１は、ｘ方向に互いに離間している。ワイヤボンディング部１３にボンディングされたワイヤ８のセカンドボンディング部８２は、１対の押さえ痕１３１を結ぶ直線と交差している。ワイヤボンディング部１３に形成された１対の押さえ痕１３１と同様の押さえ痕が、後述のワイヤボンディング部２３にも形成されている。
【０２１５】
図３３に示すように、複数（本実施形態では３つ）の第２電極部２はそれぞれ、ワイヤボンディング部２３と、リード２４と、を含む。複数の第２電極部２は、方向ｘにおいて互いに離間している。
【０２１６】
各ワイヤボンディング部２３はｘｙ平面に沿う形状である。各ワイヤボンディング部２３は、方向ｚにおいて、ダイパッド部１１よりも方向ｚ１側に位置する。一のワイヤボンディング部２３と一の半導体チップ４１とには、ワイヤ８がボンディングされている。これにより、一のワイヤボンディング部２３と一の半導体チップ４１とが導通している。リード２４は、ワイヤボンディング部２３につながる。各リード２４は方向ｙに沿って延びる。リード２４は、封止樹脂部７の樹脂側面７３から突出する部位を有し、リード１４と同様に加工され、基板８０７の孔８０９に挿入される。半導体チップ４１とワイヤボンディング部２３とに接続されたワイヤ８は、アルミニウムからなる。
【０２１７】
図３２、図３３に示す第３電極部３は、複数の制御用ダイパッド部３１と、複数のリード３２とを含む。制御用ダイパッド部３１およびリード３２はいずれも、方向ｚにおいて同じ位置に配置されている。各制御用ダイパッド部３１には、半導体チップ４２もしくは受動部品チップ４３が配置されている。制御用ダイパッド部３１と半導体チップ４２との間、および、制御用ダイパッド部３１と受動部品チップ４３との間には、接合層（図示略）が介在している。制御用ダイパッド部３１の裏面は、放熱層６と対向していなくても良いし、露出していなくても良い。
【０２１８】
各リード３２は、封止樹脂部７の樹脂側面７３から突出する部位を有し、リード１４と同様に加工され、基板８０７の孔８０９に挿入される。一のリード３２と一の半導体チップ４２の所定の電極との間には、ワイヤ８がボンディングされている。これにより、一のリード３２と一の半導体チップ４２とが導通している。また、ワイヤ８は、一の半導体チップ４２の所定の電極と一の受動部品チップ４３とにもボンディングされている。なお、制御用の半導体チップ４２や受動部品チップ４３に繋がるワイヤは、ワイヤ８よりも細く柔らかいアルミニウムや金の細線を用いることが多い。
【０２１９】
放熱層６は、セラミックスやＣｕやアルミニウムからなり、図３６に示すように、封止樹脂部７における凹部７５に配置されている。放熱層６は、凹部側面７５２に囲まれている。本実施形態において、放熱層６は、ｘｙ平面に沿う板状である。本実施形態においては、放熱層６は、金属層６５および接合層６６からなる。金属層６５は、ｚ２方向側にあり、たとえば厚さが１０５μｍ程度のＣｕからなる。接合層６６は、金属層６５に対してｚ１方向側にあり、金属層６５を複数のダイパッド部１１のダイパッド裏面１１２に接合する機能を果たす。接合層６６は、たとえば絶縁性の樹脂からなり、その厚さがたとえば２５０μｍ程度である。この樹脂は、半導体装置１０１Ｄの製造工程において、圧力および振動を加えられることにより軟化する材質である。半導体チップ４１が搭載される複数のダイパッド部１１のいずれにも直接接している。金属層６５は、樹脂底面７２から若干突出している部位を有してもよい。接合層６６は、凹部側面７５２に接している。
【０２２０】
放熱層６は、半導体チップ４１にて発生した熱を速やかに半導体装置１０１Ｄの外部に放出するために、設けられている。そのためには、放熱層６を構成する材料の熱伝導率は大きければ大きいほど良いが、封止樹脂部７と熱膨張係数が大きく異なると、金属層６５の剥離し易くなる等の問題を生じるおそれがある。好ましくは、放熱層６は、封止樹脂部７を構成する材料の熱伝導率よりも熱伝導率が大きく、熱膨張係数が封止樹脂部７に近い材料よりなる。放熱層６は、複数のダイパッド部１１のいずれにも正対している。図３５に示すように、放熱層６は、ｘｙ平面視（放熱層６の厚さ方向視）において、各ダイパッド部１１の全体に重なる。
【０２２１】
図３５、図３６に示すように、放熱層６は放熱層主面６１と放熱層裏面６２とを有する。放熱層主面６１は方向ｚ１を向く。放熱層主面６１は、ｘｙ平面視において、各ダイパッド部１１のダイパッド裏面１１２と、凹部底面７５１とに重なる。放熱層主面６１は、ダイパッド裏面１１２および凹部底面７５１に直接接する。放熱層裏面６２は放熱層主面６１の向く方向とは反対方向である方向ｚ２を向く。放熱層裏面６２は封止樹脂部７に覆われておらず、封止樹脂部７から露出している。
【０２２２】
次に、半導体装置１０１Ｄの製造方法について説明する。製造方法の説明にて用いる図では、上述と同一の構成については、同一の符号を付している。
【０２２３】
まず、図３７に示すように、複数のダイパッド部１１，３１を含むリードフレーム３００と、複数の半導体チップ４１，４２と、受動部品チップ４３とを用意する。次に、同図に示すように、接合層（図示略）を介して、各半導体チップ４１を複数のダイパッド部１１のいずれか一つに配置する。同様に、各半導体チップ４２および受動部品チップ４３を、接合層（図示略）を介して、複数の制御用ダイパッド部３１のいずれか一つに配置する。
【０２２４】
次いで、ワイヤ８のボンディングを行う。図３８は、アルミニウムからなるワイヤ８をボンディングするためのボンディング装置の一例を示している。図示されたボンディング装置８５は、キャピラリ８５１、ガイド８５２、カッタ８５３、ベース８５４、アーム８５５、ワイヤリール８５６を備えている。ワイヤリール８５６には、ワイヤ８が巻かれている。アーム８５５は、ベース８５４に対して超音波発生機構などの振動を発生させる機構を介して取り付けられている。ワイヤリール８５６から送り出されたワイヤ８は、ガイド８５２によってキャピラリ８５１の先端へと送られる。キャピラリ８５１は、ワイヤ８をボンディング対象物に振動を加えながら押し付ける（「ウェッジボンディング」という）ためのものである。カッタ８５３は、ボンディングされたワイヤを切断する機能を果たす。
【０２２５】
図３９に示すように、ダイパッド部１１に搭載された半導体チップ４１とこのダイパッド部１１の隣に位置するダイパッド部１１に繋がるワイヤボンディング部１３とにワイヤ８をボンディングする工程を例に説明するが、他のアルミからなるワイヤ８のボンディング工程も同様である。ワイヤ８のボンディング工程に先立ち、リードフレーム３００をたとえば治具８６０にセットする。治具８６０は、リードフレーム３００の形状に合わせて形成されており、支持面８６１，８６２を有する。支持面８６１は、ダイパッド部１１を支持し、支持面８６２は、ワイヤボンディング部１３を支持する。
【０２２６】
次いで、図４０に示すように、１対の押さえ片８３１および１対の押さえ片８３２を用意する。１対の押さえ片８３１および１対の押さえ片８３２は、互いに対となったたとえば細い金属棒によって構成されている。１対の押さえ片８３１をダイパッド部１１に押し付ける。このとき、１対の押さえ片８３１をｘ方向に離間させ、１対の押さえ片８３１の間に半導体チップ４１の３つの電極４１１を位置させる。また、１対の押さえ片８３２を図示されたワイヤボンディング部１３に押し付ける。１対の押さえ片８３２どうしは、ｘ方向に互いに離間させる。
【０２２７】
次いで、図４１に示すように、ワイヤ８のファーストボンディング工程を行う。ワイヤ８が添えられたキャピラリ８５１の先端を、半導体チップ４１の電極４１１に当接させる。そして、キャピラリ８５１からワイヤ８に圧力と超音波振動を付与することにより、ワイヤ８を電極４１１に接合する。
【０２２８】
次いで、図４２に示すように、ワイヤ８のセカンドボンディング工程を行う。キャピラリ８５１の先端を半導体チップ４１の電極４１１からワイヤボンディング部１３に移動させる。そして、キャピラリ８５１からワイヤ８に圧力と超音波振動を付与することにより、ワイヤ８をワイヤボンディング部１３に接合する。また、この接合の後に、図３８に示したカッタ８５３によってワイヤ８を切断する。
【０２２９】
以上のファーストボンディング工程およびセカンドボンディング工程を経ることにより、図４３および図４４に示すように、ファーストボンディング部８１において半導体チップ４１の電極４１１に接合され、セカンドボンディング部８２においてワイヤボンディング部１３に接合された、ワイヤ８を得る。図４４に示すように、ダイパッド部１１のうち１対の押さえ片８３１が押し付けられていた部位には、１対の押さえ痕１１３が形成される。また、ワイヤボンディング部１３のうち１対の押さえ片８３２が押し付けられていた部位には、１対の押さえ痕１３１が形成される。ファーストボンディング部８１は、１対の押さえ痕１１３を結ぶ直線と交差している。また、セカンドボンディング部８２は、１対の押さえ痕１３１を結ぶ直線と交差している。同様のボンディング作業を繰り返すことにより、図４５に示すように、複数のワイヤ８が各半導体チップ４１，４２等にボンディングされた状態のリードフレーム３００を得る。なお、半導体チップ４２と第３電極部３とを接続するワイヤ８'は、上述の方法と同様に押さえ片８３１を使用しても良いが、ボールボンディングを用いるとともに押さえ片８３１を用いないようにしても良い。
【０２３０】
次に、図４６、図４７に示すように、封止樹脂部７を形成する。図４６に示すように、封止樹脂部７は、金型８８１を用いたモールド成型により形成する。同図に示すように、金型８８１で複数のダイパッド部１１などを押さえつける。次に、金型８８１内に樹脂材を注入し、当該樹脂材を硬化させる。当該樹脂材が硬化すると、図４７に示すように、金型８８１を複数のダイパッド部１１などから取り外す。これにより、封止樹脂部７を形成できる。封止樹脂部７を形成する工程においては、複数のダイパッド部１１を露出させる凹部７５を封止樹脂部７に形成する。
【０２３１】
次に、図４８に示すように、封止樹脂部７の凹部７５に放熱層６をはめ込む。そして、放熱層６に圧力および振動を加える。さらに、放熱層６を加熱してもよい。これらの加圧、加振、加熱により、放熱層６の接合層６６が軟化する。軟化した接合層６６は、凹部７５に充填される。また接合層６６は、凹部側面７５２に接する。
【０２３２】
次に、リードフレーム３００を適宜切断することにより、図３３等に示した半導体装置１０１Ｄが製造される。
【０２３３】
次に、本実施形態の作用効果について説明する。
【０２３４】
１対の押さえ片８３１，８３２によってワイヤ８がボンディングされる部位である電極４１１もしくはワイヤボンディング部１３を挟んだ位置を押さえることにより、ワイヤ８のボンディングに伴う加圧や加振によってダイパッド部１１やワイヤボンディング部１３が不当に揺れたり変形したりすることを防止することができる。したがって、ワイヤ８を適切にボンディングすることができる。
【０２３５】
ファーストボンディング部８１を１対の押さえ痕１１３（１対の押さえ片８３１の先端）を結ぶ直線の間に位置させることにより、ファーストボンディング工程においてキャピラリ８５１から加えられる圧力および振動によってダイパッド部１１が揺れたり変形したりすることを好適に防止することができる。
【０２３６】
セカンドボンディング部８２を１対の押さえ痕１３１（１対の押さえ片８３２の先端）を結ぶ直線の間に位置させることにより、セカンドボンディング工程においてキャピラリ８５１から加えられる圧力および振動によってワイヤボンディング部１３が揺れたり変形したりすることを好適に防止することができる。
【０２３７】
半導体チップ４１に形成された複数の電極４１１のすべてを１対の押さえ片８３１によって挟む姿勢で、ファーストボンディング工程を行っている。これにより、複数の電極４１１に対するファーストボンディング工程を行う間、１対の押さえ片８３１を動かす必要がない。したがって、ボンディング工程を効率よく行うことができる。
【０２３８】
本発明は、上述した実施形態に限定されるものではない。本発明の各部の具体的な構成は、種々に設計変更自在である。例えば、封止樹脂の裏面から金属層が露出している半導体装置で有れば、挿入実装ではなく、表面実装用の端子の場合も同様に使用できる。また、上述したＩＰＭ装置だけでなく、半導体チップとアイランドとがそれぞれ１つしかなく、封止樹脂の裏面から金属層が露出している駆動素子を封止する半導体装置にも適用できる。
【０２３９】
〔付記１〕
１対の押さえ片を、ボンディング対象物の互いに離間した２か所に押圧した状態で、上記ボンディング対象物のうち上記１対の押さえ片が離間する方向において上記１対の押さえ片の間に位置する部位にワイヤをボンディングするワイヤボンディング工程を有することを特徴とする、ワイヤボンディング方法。
〔付記２〕
上記ワイヤボンディング工程においては、上記ボンディング対象物のうち上記１対の押さえ片を結ぶ直線と交差する部位に上記ワイヤをボンディングする、付記１に記載のワイヤボンディング方法。
〔付記３〕
上記ボンディング対象物は、金属板からなるダイパッド部と、このダイパッド部に搭載され、１以上の電極を有する半導体チップと、を含み、
上記ワイヤボンディング工程においては、上記ダイパッド部のうち上記半導体チップを挟む位置に上記１対の押さえ片を押圧した状態で、上記電極に対してワイヤをボンディングする、付記１または２に記載のワイヤボンディング方法。
〔付記４〕
上記半導体チップは、複数の電極を有しており、
上記ワイヤボンディング工程においては、上記複数の電極を挟む位置に上記１対の押さえ片を押圧した状態で、上記複数の電極に対して個別にワイヤをボンディングする、付記３に記載のワイヤボンディング方法。
〔付記５〕
上記ボンディング対象物は、金属板からなるワイヤボンディング部を含み、
上記ワイヤボンディング工程においては、上記ワイヤボンディング部に対して上記１対の押さえ片を押圧した状態で、上記ワイヤボンディング部にワイヤをボンディングする、付記１または２に記載のワイヤボンディング方法。
〔付記６〕
上記ボンディング対象物は、金属板からなるダイパッド部と、このダイパッド部に搭載され、１以上の電極を有する半導体チップと、上記ダイパッド部と離間したワイヤボンディング部と、を含み、
上記ワイヤボンディング工程においては、上記ダイパッド部のうち上記半導体チップを挟む位置に上記１対の押さえ片を押圧した状態で、上記電極に対してワイヤをボンディングし、
上記ワイヤボンディング工程の後に、上記ワイヤボンディング部に対して追加の１対の押さえ片を押圧した状態で、上記ワイヤボンディング部にワイヤをボンディングする追加のワイヤボンディング工程を有する、付記１または２に記載のワイヤボンディング方法。
〔付記７〕
上記半導体チップは、複数の電極を有しており、
上記ワイヤボンディング工程においては、上記複数の電極を挟む位置に上記１対の押さえ片を押圧した状態で、上記複数の電極に対して個別にワイヤをボンディングする、付記６に記載のワイヤボンディング方法。
〔付記８〕
上記ワイヤは、アルミニウムからなる、付記１ないし７のいずれかに記載のワイヤボンディング方法。
〔付記９〕
上記ワイヤボンディング工程においては、上記ワイヤに対して圧力および振動を加える、
付記８に記載のワイヤボンディング方法。
〔付記１０〕
互いに反対方向を向く主面および裏面を有するダイパッド部と、
上記ダイパッド部の上記主面に搭載されており、１以上の電極を有する半導体チップと、
上記ダイパッド部および上記半導体チップを覆う封止樹脂部と、を備え、
上記ダイパッド部には、互いに離間する１対の押さえ痕が形成されており、
上記電極のうち上記１対の押さえ痕が離間する方向において上記１対の押さえ痕の間に位置する部位にワイヤの一端がボンディングされていることを特徴とする、半導体装置。
〔付記１１〕
上記ワイヤの一端は、上記電極のうち上記１対の押さえ痕を結ぶ直線と交差する部位にボンディングされている、付記１０に記載の半導体装置。
〔付記１２〕
上記ダイパッド部に対して離間したワイヤボンディング部をさらに備えており、
上記ワイヤボンディング部には、互いに離間する追加の１対の押さえ痕が形成されており、
上記ワイヤボンディング部のうち上記追加の１対の押さえ痕が離間する方向において上記追加の１対の押さえ痕の間に位置する部位に上記ワイヤの他端がボンディングされている、付記１０または１１に記載の半導体装置。
〔付記１３〕
上記ワイヤの他端は、上記ワイヤボンディング部のうち上記追加の１対の押さえ痕を結ぶ直線と交差する部位にボンディングされている、付記１２に記載の半導体装置。
〔付記１４〕
互いに反対方向を向く主面および裏面を有するダイパッド部と、
上記ダイパッド部の上記主面に搭載されており、１以上の電極を有する半導体チップと、
上記半導体チップとワイヤを介して電気的に接続されるリードと、
上記ダイパッド部、上記半導体チップおよび上記リードの一部を覆う封止樹脂部と、を備え、
上記リードの上記ワイヤの一端がボンディングされている接続部を挟む上記リードの表面には、互いに離間する１対の押さえ痕が形成されていることを特徴とする、半導体装置。
〔付記１５〕
上記押さえ痕を有するリードは、押さえ痕のないリードよりも幅広の部分を有する、付記１１に記載の半導体装置。
〔付記１６〕
上記ワイヤは太さの異なる種類を有し、
上記押さえ痕は太さの太い上記ワイヤの接続部の近くのみに形成されている、付記１１または１２に記載の半導体装置。
〔付記１７〕
上記半導体チップは複数あり、
上記太さの太いワイヤは一部の上記半導体チップと上記リードとの間のみを電気的に接続する、付記１３に記載の半導体装置。
〔付記１８〕
上記半導体チップを挟む上記ダイパッドの表面には、上記半導体チップを挟んで互いに離間する１対の押さえ痕が形成されている、付記１１ないし１４のいずれかに記載の半導体装置。
〔付記１９〕
上記半導体チップは、複数あり、かつ、出力トランジスタとその制御用の半導体チップとを含み、
上記リードの押さえ痕は、上記出力トランジスタと接続された上記リードの接続部を挟んで互いに離間するように形成されている、付記１１ないし１５のいずれかに記載の半導体装置。
【０２４０】
図４９は、本発明の第１Ｅ実施形態に基づく半導体装置が用いられた実装構造を示す断面図である。
【０２４１】
図４９に示す半導体装置の実装構造８０１は、半導体装置１０１Ｅと、基板８０７と、放熱部材８０８とを備える。
【０２４２】
基板８０７は、複数の電子部品が実装されるものである。基板８０７は絶縁性の材料よりなる。基板８０７には図示しない配線パターンが形成されている。基板８０７には、複数の孔８０９が形成されている。放熱部材８０８は、熱伝導率の比較的大きな材料、たとえば、アルミニウムなどの金属よりなる。放熱部材８０８は、図示しない支持部材によって基板８０７に対し固定されている。半導体装置１０１Ｅは、基板８０７に実装されている。本実施形態において半導体装置１０１Ｅは、ＩＰＭ（Ｉｎｔｅｌｌｉｇｅｎｔ  Ｐｏｗｅｒ  Ｍｏｄｕｌｅ）と称される製品である。半導体装置１０１Ｅは、たとえば、エアーコンディショナーやモータ制御機器などの電源制御等の用途に用いられる。
【０２４３】
図５０は、本発明の第１Ｅ実施形態に基づく半導体装置のリードを折り曲げる前の平面図（一部構成省略）である。図５１は、本発明の第１Ｅ実施形態に基づく半導体装置のリードを折り曲げる前の底面図である。図５２は、図５０のＬＩＩ−ＬＩＩ線に沿う断面図である。図５３は、図５２の要部拡大断面図である。なお、図４９は、図５０のＩＬＩＸ−ＩＬＩＸ線に沿う断面に相当する。図５２においては理解の便宜上、各構成を模式化して示している。
【０２４４】
これらの図に示す半導体装置１０１Ｅは、複数の第１電極部１、第２電極部２、および、第３電極部３と、複数の半導体チップ４１，４２と、受動部品チップ４３と、放熱層６と、封止樹脂部７と、ワイヤ８と、を備える。図５０においては、放熱層６を点線で示し、封止樹脂部７を仮想線で示している。
【０２４５】
封止樹脂部７は、複数の第１電極部１、第２電極部２、および、第３電極部３と、半導体チップ４１，４２と、受動部品チップ４３と、を覆っている。封止樹脂部７は、たとえば、黒色のエポキシ樹脂よりなる。図５１、図５２に示すように、封止樹脂部７は、樹脂主面７１と、樹脂底面７２と、樹脂側面７３と、を有する。
【０２４６】
樹脂主面７１は、方向ｚ１を向き、且つ、ｘｙ平面に沿う平坦な面である。樹脂底面７２は、方向ｚ１とは反対側の方向ｚ２を向き、且つ、ｘｙ平面に沿う平坦な面である。樹脂側面７３は、ｘｙ平面視において半導体チップ４１，４２および受動部品チップ４３を囲む形状である。樹脂側面７３は、樹脂主面７１と樹脂底面７２とにつながる。
【０２４７】
図５２によく表れているように、封止樹脂部７には凹部７５が形成されている。凹部７５は樹脂底面７２から凹む。凹部７５は、凹部底面７５１および凹部側面７５２を有する。凹部底面７５１はｘｙ平面に沿う形状である。凹部側面７５２は、樹脂底面７２につながる。凹部側面７５２は、おおむね方向ｚに沿っている。
【０２４８】
図５０に示すように、半導体チップ４１，４２および受動部品チップ４３は平面視矩形状を呈する。半導体チップ４１は、たとえば、ＩＧＢＴ，ＭＯＳ，ダイオードなどのパワーチップであり、あるいは、出力トランジスタである。半導体チップ４２は、コントロールＩＣなどのＬＳＩチップであり、あるいは、半導体チップ４１の制御用である。受動部品チップ４３は、たとえば、抵抗もしくはコンデンサなどの受動部品である。
【０２４９】
図５０〜４に示す第１電極部１、第２電極部２、および、第３電極部３は、いずれも導電性材料よりなる。このような導電性材料としては、たとえば銅が挙げられる。なお、図５０の右下に記載の電極部はグランド接続される。
【０２５０】
複数（本実施形態では４つ）の第１電極部１はそれぞれ、ダイパッド部１１（図４９、図５０、図５２参照）と、接続部１２（図４９、図５０参照）と、ワイヤボンディング部１３（図４９、図５０参照）と、リード１４（図４９〜図５１参照）と、を含む。複数の第１電極部１は、方向ｘにおいて互いに離間している。
【０２５１】
各ダイパッド部１１は、ｘｙ平面に沿う板状である。ダイパッド部１１には半導体チップ４１が配置されている。図５２に示すように、ダイパッド部１１と半導体チップ４１との間には、はんだ９９１が介在している。はんだ９９１は、本発明で言う導電性接合材の一例であり、はんだ９９１に代えてＡｇペーストを用いてもよい。はんだは熱伝導率が比較的大きい。はんだ９９１は、半導体チップ４１からダイパッド部１１に熱を効率よく伝えることができる。複数のダイパッド部１１はいずれも、凹部底面７５１から露出している。
【０２５２】
図５３に示すように、半導体チップ４１には、裏面電極４１３が形成されている。裏面電極４１３は、たとえばＡｇ、Ａｕ、Ｎｉまたはこれらの金属を含む合金などのはんだ濡れ性が比較的高い材質からなる。本実施形態においては、半導体チップ４１の裏面４１２が裏面電極４１３によって構成されている。
【０２５３】
各ダイパッド部１１は、ダイパッド主面１１１とダイパッド裏面１１２とを有する。ダイパッド主面１１１は方向ｚ１を向き、ダイパッド裏面１１２は方向ｚ２を向く。すなわちダイパッド主面１１１およびダイパッド裏面１１２は互いに反対側を向く。ダイパッド主面１１１には、半導体チップ４１が配置されている。ダイパッド主面１１１と半導体チップ４１との間にははんだ９９１が介在している。ダイパッド裏面１１２は、凹部底面７５１に対し、ダイパッド部１１の厚さ方向（方向ｚ）において、同位置に位置している。ダイパッド裏面１１２は、凹部底面７５１よりも、凹部７５が開口する方向側に位置していてもよい。
【０２５４】
ダイパッド部１１は、たとえばＣｕ、ＦｅＮｉ合金、Ｆｅのいずれかからなり、ダイパッド主面１１１は、比較的はんだ濡れ性が低い面となっている。本実施形態においては、はんだ９９１と半導体チップ４１の裏面４１２との接合面積は、はんだ９９１とダイパッド主面１１１との接合面積よりも大となっている。
【０２５５】
図５０に示すように、各接続部１２は、ダイパッド部１１とワイヤボンディング部１３との間に位置し且つダイパッド部１１とワイヤボンディング部１３とにつながる。図４９に示すように、接続部１２は、ｘｙ平面に傾斜する面に沿う形状である。接続部１２は、ダイパッド部１１から離間するにつれ方向ｚ１に向かうようにｘｙ平面に対し傾斜している。
【０２５６】
図４９、図５０に示す各ワイヤボンディング部１３はｘｙ平面に沿う形状である。各ワイヤボンディング部１３は、方向ｚにおいて、ダイパッド部１１よりも方向ｚ１側に位置する。一のワイヤボンディング部１３と一の半導体チップ４１とには、ワイヤ８がボンディングされている。これにより、一のワイヤボンディング部１３と一の半導体チップ４１とが導通している。リード１４は、ワイヤボンディング部１３につながる。各リード１４は方向ｙに沿って延びる。リード１４は、封止樹脂部７の樹脂側面７３から突出する部位を有する。本実施形態にてリード１４は挿入実装用のものである。図４９に示すように、半導体装置１０１Ｅの基板８０７への実装時において、リード１４は折れ曲げられ、孔８０９に挿入される。リード１４を基板８０７に固定するために、孔８０９にはんだ層８１０が充填されている。
【０２５７】
図５０に示すように、複数（本実施形態では３つ）の第２電極部２はそれぞれ、ワイヤボンディング部２３と、リード２４と、を含む。複数の第２電極部２は、方向ｘにおいて互いに離間している。
【０２５８】
各ワイヤボンディング部２３はｘｙ平面に沿う形状である。各ワイヤボンディング部２３は、方向ｚにおいて、ダイパッド部１１よりも方向ｚ１側に位置する。一のワイヤボンディング部２３と一の半導体チップ４１とには、ワイヤ８がボンディングされている。これにより、一のワイヤボンディング部２３と一の半導体チップ４１とが導通している。リード２４は、ワイヤボンディング部２３につながる。各リード２４は方向ｙに沿って延びる。リード２４は、封止樹脂部７の樹脂側面７３から突出する部位を有する。本実施形態にてリード２４は挿入実装用のものである。図示しないが、リード１４と同様に、半導体装置１０１Ｅの基板８０７への実装時においてリード２４は孔８０９に挿入される。
【０２５９】
図４９、図５０に示す第３電極部３は、複数の制御用ダイパッド部３１と、複数のリード３２とを含む。制御用ダイパッド部３１およびリード３２はいずれも、方向ｚにおいて同じ位置に配置されている。各制御用ダイパッド部３１には、半導体チップ４２もしくは受動部品チップ４３が配置されている。制御用ダイパッド部３１と半導体チップ４２との間、および、制御用ダイパッド部３１と受動部品チップ４３との間には、接合層（図示略）が介在している。制御用ダイパッド部３１の裏面は、放熱層６と対向していなくても良いし、露出していなくても良い。
【０２６０】
各リード３２は、封止樹脂部７の樹脂側面７３から突出する部位を有する。本実施形態にてリード３２は挿入実装用のものである。図４９に示すように、半導体装置１０１Ｅの基板８０７への実装時においてリード３２は孔８０９に挿入される。リード１４に関して述べたように、リード３２を基板８０７に固定するために、孔８０９にはんだ層８１０が充填されている。一のリード３２と一の半導体チップ４２とには、ワイヤ８がボンディングされている。これにより、一のリード３２と一の半導体チップ４２とが導通している。また、ワイヤ８は、一の半導体チップ４２と一の受動部品チップ４３とにもボンディングされている。
【０２６１】
放熱層６は、図５２に示すように、封止樹脂部７における凹部７５に配置されている。放熱層６は、凹部側面７５２に囲まれている。本実施形態において、放熱層６は、ｘｙ平面に沿う板状である。本実施形態においては、放熱層６は、金属層６５および接合層６６からなる。金属層６５は、ｚ２方向側にあり、たとえば厚さが１０５μｍ程度のＣｕやアルミニウムやセラミックスからなる。接合層６６は、金属層６５に対してｚ１方向側にあり、金属層６５を複数のダイパッド部１１のダイパッド裏面１１２に接合する機能を果たす。接合層６６は、たとえば絶縁性の樹脂からなり、その厚さがたとえば２５０μｍ程度である。この樹脂は、半導体装置１０１Ｅの製造工程において、圧力および振動を加えられることにより軟化する材質である。半導体チップ４１が搭載される複数のダイパッド部１１のいずれにも直接接している。金属層６５は、樹脂底面７２から若干突出している部位を有してもよい。接合層６６は、凹部側面７５２に接している。
【０２６２】
放熱層６は、半導体チップ４１にて発生した熱を速やかに半導体装置１０１Ｅの外部に放出するために、設けられている。半導体チップ４１にて発生した熱を速やかに半導体装置１０１Ｅの外部に放出するには、放熱層６を構成する材料の熱伝導率は大きければ大きいほど良いが、封止樹脂部７と熱膨張係数が大きく異なると、金属層６５が剥離し易くなる等の問題を生じるおそれがある。好ましくは、放熱層６は、封止樹脂部７を構成する材料の熱伝導率よりも熱伝導率が大きく、熱膨張係数が封止樹脂部７に近い材料よりなる。放熱層６は、複数のダイパッド部１１のいずれにも正対している。図５１に示すように、放熱層６は、ｘｙ平面視（放熱層６の厚さ方向視）において、各ダイパッド部１１の全体に重なる。
【０２６３】
図５１、図５２に示すように、放熱層６は放熱層主面６１と放熱層裏面６２とを有する。放熱層主面６１は方向ｚ１を向く。放熱層主面６１は、ｘｙ平面視において、各ダイパッド部１１のダイパッド裏面１１２と、凹部底面７５１とに重なる。放熱層主面６１は、ダイパッド裏面１１２および凹部底面７５１に直接接する。放熱層裏面６２は放熱層主面６１の向く方向とは反対方向である方向ｚ２を向く。放熱層裏面６２は封止樹脂部７に覆われておらず、封止樹脂部７から露出している。
【０２６４】
次に、半導体装置１０１Ｅの製造方法について説明する。製造方法の説明にて用いる図では、上述と同一の構成については、同一の符号を付している。
【０２６５】
まず、図５４に示すように、複数のダイパッド部１１，３１を含むリードフレーム３００を用意する。そして、以下に説明する手順により、はんだペースト９９１'を塗布する。はんだペースト９９１'は、本発明で言う導電性接合ペーストの一例であり、はんだペースト９９１'に代えてＡｇペーストやその他の金属と有機溶剤とからなるペーストを用いてもよい。本図に示されているように、はんだペースト９９１'が塗布される領域は、半導体チップ４１，４２や受動部品チップ４３の平面視寸法よりも小であり、かつこれらの内方に含まれている。図５５〜図５９においては、ダイパッド部１１へのはんだペースト９９１'の塗布および半導体チップ４１の接合を例として説明する。なお、放熱性を良くするために、ダイパッド部１１の内１つの上に複数の半導体チップ４１を搭載する部分のみに以下の方法を用いるようにし、他の部分の導電性接合ペーストは従来と同様な方法を用いるようにしても良い。
【０２６６】
まず、図５５に示すように、マスク９９２を用意する。マスク９９２には複数の開口９９３が形成されている。これらの開口９９３は、図５４に示されたはんだペースト９９１'の塗布領域に対応している。このマスク９９２によって、リードフレーム３００を覆う。
【０２６７】
次いで、図５６に示すように、はんだペースト９９１'を塗布する。この塗布は、マスク９９２の開口９９３にはんだペースト９９１'を充てんすることによって行う。次いで、図５７に示すように、マスク９９２を取り外すと、所望の領域にはんだペースト９９１'が塗布された状態となる。
【０２６８】
次いで、半導体チップ４１をはんだペースト９９１'上に載置する。はんだペースト９９１'が塗布された領域は、半導体チップ４１の平面視寸法よりも小である。このはんだペースト９９１'を覆い隠すように、半導体チップ４１を載置する。この際、前述した半導体チップ４２や受動部品チップ４３も載置する。
【０２６９】
次いで、たとえばリフロー炉にリードフレーム３００を挿入し加熱することにより、はんだペースト９９１'を溶融させる。半導体チップ４１の裏面４１２（裏面電極４１３）は、比較的はんだ濡れ性が高いたとえばＡｇまたはＡｕからなるため、溶融したはんだペースト９９１'がその全面に広がる。一方、ダイパッド部１１の主面１１１は、比較的はんだ濡れ性が低いＣｕ、ＦｅＮｉ合金、Ｆｅからなるため、溶融したはんだペースト９９１'が広がりにくい。これにより、リフロー炉による加熱を経ると、図５９に示す形態のはんだ９９１が得られる。はんだ９９１は、半導体チップ４１の裏面４１２との接合面積の方が、ダイパッド部１１の主面１１１との接合面積よりも大となっている。図６０は、リフロー炉から取り出されたリードフレーム３００を示している。
【０２７０】
次いで、図６１に示すようにワイヤ８を各半導体チップ４１，４２等と対応するリードとの間にボンディングする。
【０２７１】
次に、図６２、図６３に示すように、封止樹脂部７を形成する。図６２に示すように、封止樹脂部７は、金型８８１を用いたモールド成型により形成する。同図に示すように、金型８８１で複数のダイパッド部１１などを押さえつける。次に、金型８８１内に樹脂材を注入し、当該樹脂材を硬化させる。当該樹脂材が硬化すると、図６３に示すように、金型８８１を複数のダイパッド部１１などから取り外す。これにより、封止樹脂部７を形成できる。封止樹脂部７を形成する工程においては、複数のダイパッド部１１の裏面側を露出させる凹部７５を封止樹脂部７に形成する。
【０２７２】
次に、図６４に示すように、封止樹脂部７の凹部７５に放熱層６をはめ込む。そして、放熱層６に圧力および振動を加える。さらに、放熱層６を加熱してもよい。これらの加圧、加振、加熱により、放熱層６の接合層６６が軟化する。軟化した接合層６６は、凹部７５内に充填される。また接合層６６は、凹部側面７５２に接する。
【０２７３】
次に、リードフレーム３００を適宜切断することにより、図５０等に示した半導体装置１０１Ｅが製造される。
【０２７４】
次に、本実施形態の作用効果について説明する。
【０２７５】
本実施形態によれば、半導体チップ４１の平面視寸法よりも小さい領域に、はんだペースト９９１'を塗布し、これを覆い隠すように半導体チップ４１を載置する。この状態ではんだペースト９９１'を加熱すると、平面視においてはんだ９９１が半導体チップ４１内にとどまりやすい。したがって、隣り合う半導体チップ４１をダイパッド主面１１１に接合するためのはんだ９９１どうしが不当に接触したり、はんだペーストの一部のみがダイパッドの端部に達しってしまうことを防止することができる。これにより、はんだ食われやはんだの表面張力等によって各半導体チップの位置が所定の位置からずれてしまうことがなくなり、半導体チップを所定の位置に配置できるようになり、ワイヤ作業が容易にできるようになる。また、隣接するチップ間距離を小さくすることができるようになるので、半導体装置の外形をより小型化できるようになる。
【０２７６】
半導体チップ４１の裏面４１２を比較的はんだ濡れ性が高いものとして構成する一方、ダイパッド部１１の主面１１１を比較的はんだ濡れ性が低いものして構成することにより、はんだ９９１のはみ出し防止を好適に図ることができる。
【０２７７】
マスク９９２を用いてはんだペースト９９１'を塗布することは、意図する領域にはんだペースト９９１'をより正確に塗布するのに適している。なお、はんだペースト９９１'を塗布する手法として、マスク９９２を用いた手法のほかに、たとえばシリンジに充てんしたはんだペースト９９１'を滴下することによって塗布してもよい。
【０２７８】
本発明は、上述した実施形態に限定されるものではない。本発明の各部の具体的な構成は、種々に設計変更自在である。例えば、アルミニウム等の太くて堅いワイヤを用いる半導体装置で有れば、説明したＩＰＭ用の半導体装置だけでなく、半導体チップとアイランドとがそれぞれ１つしかないようなパワートランジスタ等の半導体装置にも適用できる。更には、挿入実装だけでなく、表面実装用の端子の半導体装置にも同様に使用できる。
【０２７９】
〔付記１〕
ダイパッド部の主面に導電性接合ペーストを塗布する塗布工程と、
上記主面が向く方向視における大きさが、上記導電性接合ペーストが塗布された領域よりも大である半導体チップの裏面を、上記主面が向く方向視において上記導電性接合ペーストが塗布された領域を内方に含むように上記導電性接合ペーストに接しさせる載置工程と、
上記導電性接合ペーストを軟化させた後に硬化させることにより導電性接合材を形成する接合工程と、
を備えることを特徴とする、半導体装置の製造方法。
〔付記２〕
上記導電性接合ペーストは、はんだペーストである、付記１に記載の半導体装置の製造方法。
〔付記３〕
上記塗布工程においては、開口を有するマスクによって上記主面を覆った後に、上記開口に上記導電性接合ペーストを埋める、付記２に記載の半導体装置の製造方法。
〔付記４〕
上記半導体チップの上記裏面は、上記ダイパッド部の上記主面よりも上記導電性接合ペーストに対する濡れ性が高い、付記１ないし３のいずれかに記載の半導体装置の製造方法。
〔付記５〕
上記半導体チップの上記裏面は、Ａｇ、Ａｕ、Ｎｉまたはこれらの金属を含む合金からなり、
上記ダイパッド部の上記主面は、Ｃｕ、ＦｅＮｉ合金、Ｆｅのいずれかからなる、付記４に記載の半導体装置の製造方法。
〔付記６〕
主面を有するダイパッド部と、
裏面を有する半導体チップと、
上記ダイパッド部の上記主面および上記半導体チップの上記裏面の間に介在し、上記ダイパッド部と上記半導体チップとを接合する導電性接合材と、を備えており、
上記半導体チップの上記裏面と上記導電性接合材との接合面積は、上記ダイパッド部の上記主面と上記導電性接合材との接合面積よりも大であることを特徴とする、半導体装置。
〔付記７〕
上記導電性接合材は、はんだである、付記６に記載の半導体装置。
〔付記８〕
上記半導体チップの上記裏面は、上記ダイパッド部の上記主面よりも上記導電性接合ペーストに対する濡れ性が高い、付記６に記載の半導体装置。
〔付記９〕
上記半導体チップの上記裏面は、Ａｇ、Ａｕ、Ｎｉまたはこれらの金属を含む合金からなり、
上記ダイパッド部の上記主面は、Ｃｕ、ＦｅＮｉ合金、Ｆｅのいずれかからなる、付記８に記載の半導体装置。
〔付記１０〕
互いに反対方向を向く主面および裏面を有するダイパッド部と、
上記ダイパッド部の上記主面に搭載される複数の半導体チップと、
上記ダイパッド部の主面および上記複数の半導体チップのそれぞれの裏面との間に介在し、上記ダイパッド部と上記複数の半導体チップとを接合する導電性接合材と、を備えており、  上記複数の半導体チップのそれぞれの裏面と上記導電性接合材との接合面積は、上記ダイパッド部の主面に上記半導体チップに対応してそれぞれ形成された上記導電性接合材との接合面積よりも大であることを特徴とする、半導体装置。
〔付記１１〕
上記半導体チップは、複数の出力トランジスタとその制御用の半導体チップとを有し、
上記複数の出力トランジスタにおいて、上記接合面積の関係を有する、付記９に記載の半導体装置。
〔付記１２〕
上記複数の出力トランジスタの出力を外部にそれぞれ取り出すための複数のリードと、上記出力トランジスタと上記リードとをそれぞれ接続する複数のワイヤを更に有し、
上記ワイヤはアルミニウムである、付記１０に記載の半導体装置。
【符号の説明】
【０２８０】
１０１Ａ〜１０１Ｅ，１０２Ａ〜１０２Ｃ  半導体装置
１        第１電極部
１１      ダイパッド部
１１１    主面
１１１    ダイパッド主面
１１２    ダイパッド裏面
１１３    押さえ痕
１２      接続部
１３      ワイヤボンディング部
１３１    （追加の）押さえ痕
１４      リード
２        第２電極部
２３      ワイヤボンディング部
２４      リード
３        第３電極部
３１      制御用ダイパッド部
３２      リード
３００    リードフレーム
４１      半導体チップ
４１１    電極
４１２    裏面
４１３    裏面電極
４２      半導体チップ
４３      受動部品チップ
６        放熱層
６１      放熱層主面
６１１    溝
６２      放熱層裏面
６３１    第１側面
６３２    中間面
６３３    第２側面
６３４    第１角部
６４５    第２角部
６５      金属層
６６      接合層
６９      接合層
７        封止樹脂部
７１      樹脂主面
７２      樹脂底面
７３      樹脂側面
７５      凹部
７５１    凹部底面
７５２    凹部側面
７５３    凹部溝
７５４    凹部第１側面
７５５    凹部第２側面
７５６    凹部支持面
８        ワイヤ
８１      ファーストボンディング部
８２      セカンドボンディング部
８５      ボンディング装置
８０１    実装構造
８０７    基板
８０８    放熱部材
８０９    孔
８１０    ハンダ層
８１０    はんだ層
８３１    押さえ片
８３２    （追加の）押さえ片
８５１    キャピラリ
８５２    ガイド
８５３    カッタ
８５４    ベース
８５５    アーム
８５６    ワイヤリール
８６０    治具
８６１    支持面
８６２    支持面
８８１    金型
９９１    はんだ（導電性接合材）
９９１    接合層
９９１' はんだペースト（導電性接合ペースト）
９９２    マスク
９９３    開口 
【図１】
2020145476.tif 000003
【図２】
2020145476.tif 000004
【図３】
2020145476.tif 000005
【図４】
2020145476.tif 000006
【図５】
2020145476.tif 000007
【図６】
2020145476.tif 000008
【図７】
2020145476.tif 000009
【図８】
2020145476.tif 000010
【図９】
2020145476.tif 000011
【図１０】
2020145476.tif 000012
【図１１】
2020145476.tif 000013
【図１２】
2020145476.tif 000014
【図１３】
2020145476.tif 000015
【図１４】
2020145476.tif 000016
【図１５】
2020145476.tif 000017
【図１６】
2020145476.tif 000018
【図１７】
2020145476.tif 000019
【図１８】
2020145476.tif 000020
【図１９】
2020145476.tif 000021
【図２０】
2020145476.tif 000022
【図２１】
2020145476.tif 000023
【図２２】
2020145476.tif 000024
【図２３】
2020145476.tif 000025
【図２４】
2020145476.tif 000026
【図２５】
2020145476.tif 000027
【図２６】
2020145476.tif 000028
【図２７】
2020145476.tif 000029
【図２８】
2020145476.tif 000030
【図２９】
2020145476.tif 000031
【図３０】
2020145476.tif 000032
【図３１】
2020145476.tif 000033
【図３２】
2020145476.tif 000034
【図３３】
2020145476.tif 000035
【図３４】
2020145476.tif 000036
【図３５】
2020145476.tif 000037
【図３６】
2020145476.tif 000038
【図３７】
2020145476.tif 000039
【図３８】
2020145476.tif 000040
【図３９】
2020145476.tif 000041
【図４０】
2020145476.tif 000042
【図４１】
2020145476.tif 000043
【図４２】
2020145476.tif 000044
【図４３】
2020145476.tif 000045
【図４４】
2020145476.tif 000046
【図４５】
2020145476.tif 000047
【図４６】
2020145476.tif 000048
【図４７】
2020145476.tif 000049
【図４８】
2020145476.tif 000050
【図４９】
2020145476.tif 000051
【図５０】
2020145476.tif 000052
【図５１】
2020145476.tif 000053
【図５２】
2020145476.tif 000054
【図５３】
2020145476.tif 000055
【図５４】
2020145476.tif 000056
【図５５】
2020145476.tif 000057
【図５６】
2020145476.tif 000058
【図５７】
2020145476.tif 000059
【図５８】
2020145476.tif 000060
【図５９】
2020145476.tif 000061
【図６０】
2020145476.tif 000062
【図６１】
2020145476.tif 000063
【図６２】
2020145476.tif 000064
【図６３】
2020145476.tif 000065
【図６４】
2020145476.tif 000066